(57)【要約】【課題】    冷却流体により光変調素子を効率的に冷却しつつ、光変調素子にて形成される光学像を良好に維持できる光変調素子保持体、光学装置、およびプロジェクタを提供する。【解決手段】光変調素子保持体４４０２を構成する一対の枠状部材４４０５，４４０６内部には、液晶パネル４４１を冷却する冷却流体が封入される冷却室がそれぞれ形成される。各冷却室内部には、液晶パネル４４１の光変調面よりも平面的に大きい形状を有し透光性を有する板状部材から構成され冷却室を光束入射側および光束射出側の２つの領域に区画する冷却室区画部４４００が設けられる。各冷却室区画部４４００には、液晶パネル４４１の光変調面を平面的に囲うように入射光束を遮光する遮光部４４００Ｂが設けられている。【選択図】 図８
2006126456.tif 000002
【特許請求の範囲】
【請求項１】
光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、
前記光変調素子の光変調面に応じてそれぞれ開口が形成され前記光変調素子を挟持する一対の枠状部材と、前記一対の枠状部材における対向する面と反対の面のうち少なくともいずれかの面側に配置される透光性基板とを含んで構成され、
前記冷却室は、前記一対の枠状部材の前記開口における前記対向する面側、および前記対向する面と反対の面のうち少なくともいずれかの面側が前記光変調素子および前記透光性基板にてそれぞれ閉塞されることにより前記一対の枠状部材のうち少なくともいずれかの枠状部材の内部に形成され、
前記一対の枠状部材のうち少なくともいずれかの枠状部材には、前記冷却室に前記冷却流体を流入させる流入口と、前記冷却室内部の前記冷却流体を外部に流出させる流出口と、前記光変調素子の光変調面よりも平面的に大きい形状を有し透光性を有する板状部材から構成され前記冷却室内部に配置され前記冷却室を光束入射側および光束射出側の２つの領域に区画する冷却室区画部とが設けられ、
前記冷却室区画部には、前記光変調面を平面的に囲うように入射光束を遮光する遮光部が設けられていることを特徴とする光変調素子保持体。
【請求項２】
請求項１に記載の光変調素子保持体において、
前記遮光部は、前記光源から射出され前記光変調素子の光変調面に照射される照明光、および／または、前記光変調素子の光変調面から射出される光学像が通過する境界位置に該遮光部の開口端部が位置するように前記冷却室区画部に設けられていることを特徴とする光変調素子保持体。
【請求項３】
請求項１または請求項２に記載の光変調素子保持体において、
前記冷却室は、前記一対の枠状部材の双方の内部にそれぞれ形成され、
前記冷却室区画部は、前記光変調素子の光束入射側および光束射出側にそれぞれ配設されることを特徴とする光変調素子保持体。
【請求項４】
請求項１から請求項３のいずれかに記載の光変調素子保持体において、
前記遮光部は、前記冷却室区画部における前記対向する面側に設けられていることを特徴とする光変調素子保持体。
【請求項５】
請求項１から請求項４のいずれかに記載の光変調素子保持体において、
前記遮光部は、前記冷却室区画部に堆積される薄膜で構成されていることを特徴とする光変調素子保持体。
【請求項６】
請求項１から請求項４のいずれかに記載の光変調素子保持体において、
前記遮光部は、前記光変調面を平面的に囲う枠状部材で構成され、前記冷却室区画部に取り付けられることを特徴とする光変調素子保持体。
【請求項７】
請求項１から請求項６のいずれかに記載の光変調素子保持体において、
前記冷却室区画部は、複数の板状部材を積層させることで形成され、
前記複数の板状部材間のうち少なくともいずれかの間には、入射した光束の光学特性を変換する少なくとも１つの光学変換素子が介装されることを特徴とする光変調素子保持体。
【請求項８】
光源から射出された光束を画像情報に応じて変調して光学像を形成する光変調素子を含んで構成される光学装置であって、
請求項１から請求項７のいずれかに記載の光変調素子保持体と、前記光変調素子保持体の流入口および流出口と接続され、前記冷却流体を前記冷却室外部に案内し、再度、前記冷却室内部に導く複数の流体循環部材とを備えていることを特徴とする光学装置。
【請求項９】
請求項８に記載の光学装置において、
入射した光束の光学特性を変換する少なくとも１つの光学変換素子を備え、
前記光学変換素子は、透光性基板と、前記透光性基板上に形成され、入射した光束の光学特性を変換する光学変換膜とで構成され、
前記光変調素子保持体を構成する透光性基板は、前記光学変換素子を構成する透光性基板であることを特徴とする光学装置。
【請求項１０】
光源装置と、請求項８または請求項９に記載の光学装置と、前記光学装置にて形成された光学像を拡大投射する投射光学装置とを備えていることを特徴とするプロジェクタ。
【発明の詳細な説明】
【技術分野】
【０００１】
本発明は、光変調素子保持体、光学装置、およびプロジェクタに関する。
【背景技術】
【０００２】
従来、光源から射出された光束を画像情報に応じて変調して光学像を形成する複数の光変調装置と、各光変調装置で変調された光束を合成して射出する色合成光学装置と、色合成光学装置にて合成された光束を拡大投射する投射光学装置とを備えるプロジェクタが知られている。
このうち、光変調装置としては、例えば、一対の基板間に液晶等の電気光学材料が密閉封入されたアクティブマトリックス駆動方式の光変調素子が一般的に採用される。具体的に、この光変調素子を構成する一対の基板は、光束射出側に配置され、液晶に駆動電圧を印加するためのデータ線、走査線、スイッチング素子、画素電極等が形成された駆動基板と、光束入射側に配置され、共通電極、ブラックマスク等が形成された対向基板とで構成されている。
また、この光変調素子の光束入射側および光束射出側には所定の偏光軸を有する光束を透過させる入射側偏光板および射出側偏光板がそれぞれ配置される。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。また、光源から射出された光束、および光変調素子を透過した光束のうち、所定の偏光軸を有していない光束は、入射側偏光板および射出側偏光板によって吸収され、偏光板に熱が発生しやすい。
【０００３】
このため、このような光学素子を内部に有するプロジェクタは、光学素子の温度上昇を緩和するために、冷却流体を用いた冷却装置を備えた構成が提案されている（例えば、特許文献１参照）。
すなわち、特許文献１に記載の冷却装置は、光変調素子と光源側の偏光板とを離隔した状態でそれぞれ支持し、内部に冷却流体が充填される冷却室を備えている。また、この冷却室は、内部に冷却流体を流通可能なチューブ等によりラジエータおよび流体ポンプと連通接続されている。このため、内部の冷却流体は、チューブ等を介して冷却室〜ラジエータ〜流体ポンプ〜冷却室という流路を循環する。そして、このような構成により、光源から照射される光束により光変調素子および入射側偏光板の光束透過領域に生じる熱を直接冷却流体に放熱させている。
【０００４】
【特許文献１】特開平１−１５９６８４号公報
【発明の開示】
【発明が解決しようとする課題】
【０００５】
しかしながら、特許文献１に記載の冷却装置では、チューブ等を介して冷却室内部に直接、冷却流体が流入する構成であるため、冷却室内部の各位置での冷却流体の流速が異なりやすい。このように冷却室内部の各位置で冷却流体の流速が異なる場合には、光変調素子にて形成された光学像に冷却流体の流れる方向に延びる筋状の像が含まれ、光学像を良好に維持できない。
また、光変調素子の光変調面には、光源から射出され光変調素子の光変調面に照明される照明光とは異なる迷光等の不要光が、光変調面よりも平面的に外側から入射することも考えられる。このように不要光が光変調素子の光変調面に入射した場合には、不要な像が光学像に含まれることとなり、光変調素子にて形成した光学像を良好に維持できない。特許文献１に記載の冷却装置では、上述した不要光を遮光する具体的な構造が開示されておらず、その示唆もない。したがって、光変調素子にて形成した光学像を良好に維持できる構成とは言えない。
【０００６】
本発明の目的は、冷却流体により光変調素子を効率的に冷却しつつ、光変調素子にて形成される光学像を良好に維持できる光変調素子保持体、光学装置、およびプロジェクタを提供することにある。
【課題を解決するための手段】
【０００７】
本発明の光変調素子保持体は、光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、前記光変調素子の光変調面に応じてそれぞれ開口が形成され前記光変調素子を挟持する一対の枠状部材と、前記一対の枠状部材における対向する面と反対の面のうち少なくともいずれかの面側に配置される透光性基板とを含んで構成され、前記冷却室は、前記一対の枠状部材の前記開口における前記対向する面側、および前記対向する面と反対の面のうち少なくともいずれかの面側が前記光変調素子および前記透光性基板にてそれぞれ閉塞されることにより前記一対の枠状部材のうち少なくともいずれかの枠状部材の内部に形成され、前記一対の枠状部材のうち少なくともいずれかの枠状部材には、前記冷却室に前記冷却流体を流入させる流入口と、前記冷却室内部の前記冷却流体を外部に流出させる流出口と、前記光変調素子の光変調面よりも平面的に大きい形状を有し透光性を有する板状部材から構成され前記冷却室内部に配置され前記冷却室を光束入射側および光束射出側の２つの領域に区画する冷却室区画部とが設けられ、前記冷却室区画部には、前記光変調面を平面的に囲うように入射光束を遮光する遮光部が設けられていることを特徴とする。
ここで、光変調素子保持体は、透光性基板を１つ有する構成でもよく、２つ有する構成でもよい。例えば、透光性基板を１つのみ有する構成では、該透光性基板および光変調素子により一対の枠状部材の開口における対向する面側および対向する面と反対の面のいずれかの面側がそれぞれ閉塞され、一方の枠状部材の内部にのみ冷却室が形成される。また、例えば、透光性基板を２つ有する構成では、２つの透光性基板および光変調素子により一対の枠状部材の開口における対向する面側および対向する面と反対の面がそれぞれ閉塞され、一対の枠状部材双方の内部にそれぞれ冷却室が形成される。
【０００８】
本発明によれば、冷却室内部に冷却室区画部が配置されるので、流入口を介して流入した冷却流体を、冷却室区画部における流入口側の側端部により一時的に堰き止め、冷却室区画部の光束入射側および光束射出側に整流できる。このため、冷却室内部の各位置での冷却流体の流速の均一化が図れ、光変調素子にて形成された光学像に筋状の像が含まれることなく、光変調素子にて形成された光学像を良好に維持できる。
また、冷却室内部に冷却室区画部を配置することで、冷却室内における光変調素子と接触する冷却流体層の厚みを縮小でき、光変調素子と接触する冷却流体の対流速度を速めることができる。このため、光変調素子の面内温度の均一化も図れ、局所的な過熱を回避し、光変調素子にて鮮明な光学像を形成できる。
さらに、冷却室区画部には遮光部が設けられているので、光変調面よりも平面的に外側から入射する不要光を遮光できる。このため、不要光により形成される像が光変調素子にて形成した光学像に含まれることがなく、光変調素子にて形成した光学像を良好に維持できる。
【０００９】
本発明の光変調素子保持体では、前記遮光部は、前記光源から射出され前記光変調素子の光変調面に照射される照明光、および／または、前記光変調素子の光変調面から射出される光学像が通過する境界位置に該遮光部の開口端部が位置するように前記冷却室区画部に設けられていることが好ましい。
本発明によれば、遮光部は、照明光および／または光学像が通過する境界位置に該遮光部の開口端部が位置するように冷却室区画部に設けられているので、遮光部が照明光および／または光学像に干渉することなく、不要光のみを効果的に遮光できる。このため、光変調素子にて形成した光学像をさらに良好に維持できる。
【００１０】
本発明の光変調素子保持体では、前記冷却室は、前記一対の枠状部材の双方の内部にそれぞれ形成され、前記冷却室区画部は、前記光変調素子の光束入射側および光束射出側にそれぞれ配設されることが好ましい。
本発明によれば、冷却室区画部が光変調素子の光束入射側および光束射出側にそれぞれ配設されるので、光変調素子の光変調面に向けて光束入射側および光束射出側の双方からそれぞれ入射する不要光を遮光できる。このため、光変調素子にて形成した光学像をさらに一層良好に維持できる。
【００１１】
本発明の光変調素子保持体では、前記遮光部は、前記冷却室区画部における前記対向する面側に設けられていることが好ましい。
本発明によれば、遮光部が冷却室区画部における対向する面側に設けられているので、遮光部が冷却室区画部における対向する面と反対の面側に設けられた構成と比較して、遮光部の位置を光変調素子の光変調面に近接した位置に設定できる。このため、光変調素子の光変調面に入射する不要光の遮光角度を大きく設定でき、不要光をより確実に遮光できる。
【００１２】
本発明の光変調素子保持体では、前記遮光部は、前記冷却室区画部に堆積された薄膜で構成されていることが好ましい。
本発明によれば、遮光部が薄膜で構成されているので、例えば、比熱と熱伝導率の高い金属等の薄膜で構成することで、不要光の遮光により遮光部に生じた熱の放熱面積を大きくでき、冷却流体との熱交換能力を向上させることができる。このため、冷却室区画部の温度上昇を抑制可能とし、さらに、冷却室区画部の光束入射側端面および光束射出側端面のいずれかの端面にのみ遮光部が形成された場合であっても冷却室区画部の光束入射側および光束射出側を流通する冷却流体の温度差も抑制できる。したがって、冷却室区画部に対向する光変調素子の面内温度も均一化した状態で良好に維持できる。
【００１３】
本発明の光変調素子保持体では、前記遮光部は、前記光変調面を平面的に囲う枠状部材で構成され、前記冷却室区画部に取り付けられることが好ましい。
本発明によれば、遮光部が枠状部材で構成されているので、遮光部を薄膜で構成する場合と比較して、遮光部を例えばプレス加工等により容易に製造でき、遮光部を製造するにあたって、その製造コストを低減できる。
【００１４】
本発明の光変調素子保持体では、前記冷却室区画部は、複数の板状部材を積層させることで形成され、前記複数の板状部材間のうち少なくともいずれかの間には、入射した光束の光学特性を変換する少なくとも１つの光学変換素子が介装されることが好ましい。
ここで、光学変換素子としては、例えば、偏光板、位相差板、あるいは視野角補正板等を採用できる。
本発明によれば、冷却室区画部における複数の板状部材間のうち少なくともいずれかの間に少なくとも１つの光学変換素子が介装されるので、光変調素子のみならず、光源から射出された光束によって光学変換素子に生じる熱も、板状部材を介して冷却室区画部の光束入射側および光束射出側に対流する冷却流体に放熱できる。
また、光変調素子保持体に、光変調素子のみならず、周辺の光学変換素子を一体化させることができるため、これら光学素子の冷却性能向上に加えて小型化も可能となる。
【００１５】
本発明の光学装置は、光源から射出された光束を画像情報に応じて変調して光学像を形成する光変調素子を含んで構成される光学装置であって、上述した光変調素子保持体と、前記光変調素子保持体の流入口および流出口と接続され、前記冷却流体を前記冷却室外部に案内し、再度、前記冷却室内部に導く複数の流体循環部材とを備えていることを特徴とする。
本発明によれば、光学装置は、上述した光変調素子保持体、および複数の流体循環部材を備えているので、上述した光変調素子保持体と同様の作用・効果を享受できる。
【００１６】
本発明の光学装置では、入射した光束の光学特性を変換する少なくとも１つの光学変換素子を備え、前記光学変換素子は、透光性基板と、前記透光性基板上に形成され、入射した光束の光学特性を変換する光学変換膜とで構成され、前記光変調素子保持体を構成する透光性基板は、前記光学変換素子を構成する透光性基板であることが好ましい。
ここで、光学変換素子としては、上記同様に、例えば、偏光板、位相差板、あるいは視野角補正板等を採用できる。
本発明によれば、光変調素子保持体を構成する透光性基板は、光学変換素子を構成する透光性基板であるので、光変調素子のみならず、光源から射出された光束によって光学変換膜に生じる熱も、冷却室を対流する冷却流体に放熱できる。
また、光変調素子保持体に、光変調素子のみならず、周辺の光学変換素子を一体化させることができるため、これら光学素子の冷却性能向上に加えて小型化も可能となる。
【００１７】
本発明のプロジェクタは、光源装置と、上述した光学装置と、前記光学装置にて形成された光学像を拡大投射する投射光学装置とを備えていることを特徴とする。
本発明によれば、プロジェクタは、光源装置、上述した光学装置、および投射光学装置を備えているので、上述した光学装置と同様の作用・効果を享受できる。
また、上述した光学装置を備えることで、光変調素子にて形成された光学像を良好に維持でき、投射光学装置にて鮮明な光学像を拡大投射できる。
【発明を実施するための最良の形態】
【００１８】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００１９】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口（例えば、図２に示す吸気口２２）、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００２０】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口２２（図２参照）からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２１】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００２２】
〔光学ユニットの詳細な構成〕
光学ユニット４は、図１に示すように、インテグレータ照明光学系４１と、色分離光学系４２と、リレー光学系４３と、光学装置４４と、光学部品４１〜４３および光学装置４４の後述する光学装置本体を収納配置する光学部品用筐体４５とを備える。
インテグレータ照明光学系４１は、光学装置４４を構成する後述する液晶パネルの光変調面（画像形成領域）を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２３】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２４】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２５】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００２６】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００２７】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路長が長いのでこのような構成とされているが青色光の光路長を長くする構成も考えられる。
【００２８】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される光学変換素子としての入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、流体分岐部、光変調素子保持体、支持部材、および中継タンクを備える。
【００２９】
液晶パネル４４１は、ガラスなどからなる一対の基板４４１Ｃ，４４１Ｄ（図８参照）に電気光学材料である液晶が密閉封入された構成を有している。このうち、基板４４１Ｃ（図８参照）は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄ（図８参照）は、基板４４１Ｃに対して所定間隔を空けて対向配置される対向基板であり、所定の電圧Ｖcomが印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力する回路基板としてのフレキシブルプリント基板４４１Ｅ（図８参照）が接続されている。このフレキシブルプリント基板４４１Ｅ（図８参照）を介して前記制御装置から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。
このフレキシブルプリント基板４４１Ｅ（図８参照）において、下端側の幅方向略中央部分には、挿通孔４４１Ｅ１が形成されている。そして、この挿通孔４４１Ｅ１には、光学装置４４を構成する後述する光変調素子保持体の筒状部が挿通される。
そして、この液晶パネル４４１において、駆動基板４４１Ｃの外形形状は対向基板４４１Ｄの外形形状よりも大きく設定される。すなわち、この液晶パネル４４１は、光束入射側に向かうにしたがって、外形形状が小さくなる段付状に形成されている。
【００３０】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、白板・強化ガラス（テンパックス）等の透光性基板４４２Ａ（図８参照）上に偏光膜（図示省略）が貼付された構成を有している。
射出側偏光板４４３は、入射側偏光板４４２と同様に透光性基板４４３Ａおよび光学変換膜としての偏光膜４４３Ｂ（図８参照）を有し、液晶パネル４４１から射出された光束のうち、入射側偏光板４４２における光束の透過軸と直交する偏光軸を有する光束のみ透過させ、その他の光束を吸収するものである。
なお、上述した入射側偏光板４４２および射出側偏光板４４３の透光性基板４４２Ａ，４４３Ａは、白板・強化ガラス（テンパックス）に限らず、熱伝導性の良好なサファイアガラス、水晶、またはＹＡＧ（Yttrium Aluminum Garnet）等で構成してもよい。このような構成では、入射側偏光板４４２の偏光膜、および射出側偏光板４４３の偏光膜４４３Ｂに生じた熱を透光性基板４４２Ａ，４４３Ａに良好に放熱できる。
また、透光性基板４４２Ａ，４４３Ａの厚み寸法は、０．５ｍｍ以上であることが好ましく、さらに好ましくは０．７ｍｍ〜１．１ｍｍであることが好ましい。このような構成では、後述する弾性部材が押圧されることによる反力を受けても、透光性基板４４２Ａ，４４３Ａが変形することがなく、偏光板４４２，４４３の偏光軸が狂うことを回避できる。このため、コントラスト等の光学性能を良好に維持できる。
【００３１】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３２】
図２は、プロジェクタ１内の一部を上方側から見た斜視図である。なお、図２において、光学部品用筐体４５内の光学部品は、説明を簡略化するために、光学装置４４の後述する光学装置本体のみを図示し、その他の光学部品４１〜４３は省略している。
図３は、プロジェクタ１内の一部を下方側から見た斜視図である。
光学部品用筐体４５は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４５は、金属製部材に限らず、その他の材料にて構成してもよく、特に熱伝導性材料で構成することが好ましい。この光学部品用筐体４５は、図２に示すように、光学部品４１〜４３、および光学装置４４の後述する光学装置本体を収納する容器状の部品収納部材４５１と、部品収納部材４５１の開口部分を閉塞する図示しない蓋状部材とで構成される。
【００３３】
このうち、部品収納部材４５１は、光学部品用筐体４５の底面、前面、および側面をそれぞれ構成する。
この部品収納部材４５１において、側面の内側面には、図２に示すように、上述した光学部品４１２〜４１５，４１８，４２１〜４２３，４３１〜４３４を上方からスライド式に嵌め込むための溝部４５１Ａが形成されている。
また、側面の正面部分には、図２に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が前記孔を通して投射レンズ５にて拡大投射される。
また、この部品収納部材４５１において、底面には、図３に示すように、光学装置４４の液晶パネル４４１位置に対応して形成された３つの孔４５１Ｃと、光学装置４４の後述する流体分岐部の冷却流体流入部に対応して形成された孔４５１Ｄとが形成されている。ここで、冷却ユニット３のシロッコファン３１によりプロジェクタ１外部から内部に導入された冷却空気は、シロッコファン３１の吐出口３１Ａ（図３）から吐出され、図示しないダクトを介して前記孔４５１Ｃに導かれる。
【００３４】
〔光学装置の構成〕
光学装置４４は、図２または図３に示すように、液晶パネル４４１、入射側偏光板４４２、射出側偏光板４４３、およびクロスダイクロイックプリズム４４４が一体化された光学装置本体４４０（図２）と、メインタンク４４５と、流体圧送部４４６と、ラジエータ４４７と、複数の流体循環部材４４８とを備える。
複数の流体循環部材４４８は、内部に冷却流体が対流可能にアルミニウム製の管状部材で構成され、冷却流体が循環可能に各部材４４０，４４５〜４４７を接続する。そして、循環する冷却流体により光学装置本体４４０を構成する液晶パネル４４１、入射側偏光板４４２、および射出側偏光板４４３に生じる熱を冷却する。
なお、本実施形態では、冷却流体として、透明性の非揮発性液体であるエチレングリコールを採用する。冷却流体としては、エチレングリコールに限らず、その他の液体を採用してもよい。
以下では、各部材４４０，４４５〜４４７を、循環する冷却流体の流路に沿って液晶パネル４４１に対する上流側から順に説明する。
【００３５】
〔メインタンクの構造〕
図４は、メインタンク４４５の構造を示す図である。具体的に、図４（Ａ）は、メインタンク４４５を上方から見た平面図である。また、図４（Ｂ）は、図４（Ａ）におけるＡ-Ａ線の断面図である。
メインタンク４４５は、略円柱形状を有し、アルミニウム製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
【００３６】
このメインタンク４４５において、円柱軸方向略中央部分には、図４（Ｂ）に示すように、冷却流体を内部に流入させる冷却流体流入部４４５Ａおよび内部の冷却流体を外部に流出させる冷却流体流出部４４５Ｂが形成されている。
これら冷却流体流入部４４５Ａおよび冷却流体流出部４４５Ｂは、流体循環部材４４８の管径寸法よりも小さい管径寸法を有する略筒状部材から構成され、メインタンク４４５の内外に突出するように配置されている。そして、冷却流体流入部４４５Ａの外側に突出した一端には、流体循環部材４４８の一端が接続され、該流体循環部材４４８を介して外部からの冷却流体がメインタンク４４５内部に流入する。また、冷却流体流出部４４５Ｂの外側に突出した一端にも、流体循環部材４４８の一端が接続され、該流体循環部材４４８を介してメインタンク４４５内部の冷却流体が外部へと流出する。
【００３７】
また、このメインタンク４４５の外周面において、円柱軸方向略中央部分には、図４（Ａ）に示すように、２つの容器状部材のそれぞれに３つの固定部４４５Ｃが形成され、該固定部４４５Ｃにねじ４４５Ｄ（図２、図３）を挿通し、外装ケース２の底面に螺合することで、２つの容器状部材が互いに密接して接続されるとともに、メインタンク４４５が外装ケース２に固定される。
そして、このメインタンク４４５は、図１または図２に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００３８】
〔流体圧送部の構造〕
流体圧送部４４６は、メインタンク４４５内に蓄積された冷却流体を送入し、送入した冷却流体を外部に強制的に送出する。このため、流体圧送部４４６は、図３に示すように、メインタンク４４５の冷却流体流出部４４５Ｂに接続した流体循環部材４４８の他端と連通接続するとともに、外部に冷却流体を送出するために他の流体循環部材４４８の一端と連通接続している。
この流体圧送部４４６は、具体的な図示は省略するが、例えば、略直方体状のアルミニウム製の中空部材内に羽根車が配置された構成を有し、図示しない制御装置による制御の下、前記羽根車が回転することで、メインタンク４４５内に蓄積された冷却流体を流体循環部材４４８を介して強制的に送入し、送入した冷却流体を流体循環部材４４８を介して外部に強制的に送出する。この流体圧送部４４６は、図２または図３に示すように、投射レンズ５の下方に配置される。
【００３９】
〔光学装置本体の構造〕
図５および図６は、光学装置本体４４０の概略構成を示す図である。具体的に、図５は、光学装置本体４４０を上方側から見た斜視図である。また、図６は、光学装置本体４４０を下方側から見た斜視図である。
光学装置本体４４０は、３つの液晶パネル４４１、３つの入射側偏光板４４２、３つの射出側偏光板４４３、およびクロスダイクロイックプリズム４４４の他、図５および図６に示すように、流体分岐部４４０１と、３つの光変調素子保持体４４０２と、３つの支持部材４４０３と、中継タンク４４０４とを備える。
【００４０】
〔流体分岐部の構造〕
図７は、流体分岐部４４０１の構造を示す図である。具体的に、図７（Ａ）は、流体分岐部４４０１を上方から見た平面図である。また、図７（Ｂ）は、図７（Ａ）におけるＢ-Ｂ線の断面図である。
流体分岐部４４０１は、略直方体状のアルミニウム製の中空部材で構成され、流体圧送部４４６から強制的に送出された冷却流体を送入し、送入した冷却流体を３つの光変調素子保持体４４０２毎に分岐して送出する。また、この流体分岐部４４０１は、クロスダイクロイックプリズム４４４の３つの光束入射側端面に交差する端面である下面に固定され、クロスダイクロイックプリズム４４４を支持するプリズム固定板としての機能も有する。
この流体分岐部４４０１において、底面の略中央部分には、図７（Ｂ）に示すように、流体圧送部４４６から圧送された冷却流体を内部に流入させる冷却流体流入部４４０１Ａが形成されている。この冷却流体流入部４４０１Ａは、メインタンク４４５の冷却流体流入部４４５Ａと同様に、流体循環部材４４８の管径寸法よりも小さい管径寸法を有する略筒状部材から構成され、流体分岐部４４０１内外に突出するように配置されている。そして、冷却流体流入部４４０１Ａの外側に突出した一端には、流体圧送部４４６に連通接続された流体循環部材４４８の他端が接続され、該流体循環部材４４８を介して流体圧送部４４６から圧送された冷却流体が流体分岐部４４０１内部に流入する。
【００４１】
また、底面の四隅部分には、図７（Ａ）に示すように、該底面に沿って延出する腕部４４０１Ｂがそれぞれ形成されている。これら腕部４４０１Ｂの先端部分には、それぞれ孔４４０１Ｂ１が形成され、これら孔４４０１Ｂ１に図示しないねじを挿通し、光学部品用筐体４５の部品収納部材４５１に螺合することで、光学装置本体４４０が部品収納部材４５１に固定される。この際、流体分岐部４４０１および光学部品用筐体４５は、熱伝達可能に接続される。
【００４２】
また、この流体分岐部４４０１において、クロスダイクロイックプリズム４４４の光束入射側端面に対応する３つの側面には、図７（Ａ）に示すように、送入された冷却流体を３つの光変調素子保持体４４０２毎に分岐して流出させる冷却流体流出部４４０１Ｃが形成されている。
これら冷却流体流出部４４０１Ｃは、冷却流体流入部４４０１Ａと同様に、流体循環部材４４８の管径寸法よりも小さい管径寸法を有する略筒状部材から構成され、流体分岐部４４０１内外に突出するように配置されている。そして、各冷却流体流出部４４０１Ｃの外側に突出した一端には、それぞれ流体循環部材４４８の一端が接続され、該流体循環部材４４８を介して流体分岐部４４０１内部の冷却流体が分岐されて外部へと流出する。
さらに、この流体分岐部４４０１において、上面の略中央部分には、図７に示すように、球状の膨出部４４０１Ｄが形成されている。そして、この膨出部４４０１Ｄにクロスダイクロイックプリズム４４４の下面を当接させることで、流体分岐部４４０１に対するクロスダイクロイックプリズム４４４のあおり方向の位置調整が可能となる。
【００４３】
〔光変調素子保持体の構造〕
図８は、光変調素子保持体４４０２の概略構成を示す分解斜視図である。
３つの光変調素子保持体４４０２は、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体４４０２は、同様の構成であり、以下では１つの光変調素子保持体４４０２のみを説明する。
光変調素子保持体４４０２は、図８に示すように、一対の枠状部材４４０５，４４０６と、４つの弾性部材４４０７と、一対の偏光板固定部材４４０８Ａ，４４０８Ｂと、支持枠体４４０９と、２つの冷却室区画部４４００とを備える。
【００４４】
図９は、枠状部材４４０５の概略構成を示す図である。具体的に、図９（Ａ）は、枠状部材４４０５を光束射出側から見た斜視図である。また、図９（Ｂ）は、枠状部材４４０５を光束入射側から見た斜視図である。
枠状部材４４０５は、略中央部分に液晶パネル４４１の光変調面に対応した矩形状の開口部４４０５Ａを有する平面視略矩形状のアルミニウム製の枠体であり、枠状部材４４０６に対して光束入射側に配置され、液晶パネル４４１の光束入射側を支持するとともに、入射側偏光板４４２の光束射出側を支持する。
【００４５】
この枠状部材４４０５において、光束射出側端面には、図９（Ａ）に示すように、光束入射側に窪む凹部４４０５Ｂが形成されている。この凹部４４０５Ｂは、弾性部材４４０７の後述する第２弾性部材の形状に対応し、開口部４４０５Ａの周縁部分に位置し平面視略矩形枠形状を有する第１凹部４４０５Ｂ１と、上方側左右方向略中央部分に位置し平面視略円形状を有する第２凹部４４０５Ｂ２とで構成される。そして、これら凹部４４０５Ｂにて前記第２弾性部材および支持枠体４４０９を介して液晶パネル４４１の光束入射側端面を支持する。そして、枠状部材４４０５が液晶パネル４４１の光束入射側端面を支持することで、前記第２弾性部材、支持枠体４４０９、および液晶パネル４４１の光束入射側端面にて、開口部４４０５Ａの光束射出側が閉塞される。
また、第１凹部４４０５Ｂ１における下方側の左右方向略中央部分には、図９（Ａ）または図９（Ｂ）に示すように、光束射出側端面および光束入射側端面を貫通する孔４４０５Ｃ１を有して光束射出側端面から略直交して突出し、枠状部材４４０６の後述する挿通孔に挿通される筒状部４４０５Ｃが形成されている。
筒状部４４０５Ｃは、後述する流入口に対して略直交するように連通接続している。そして、この筒状部４４０５Ｃの内側面の一部は、前記流入口の中心軸と交差するように延出する。また、筒状部４４０５Ｃの内側面の一部には、前記流入口を介して流入した冷却流体を、枠状部材４４０５の光束入射側および光束射出側に分流する突出部４４０５Ｃ２（図１８参照）が形成されている。
また、第２凹部４４０５Ｂ２における略中央部分には、図９（Ａ）または図９（Ｂ）に示すように、光束射出側端面および光束入射側端面を貫通し、枠状部材４４０６の後述する筒状部を挿通可能とする挿通孔４４０５Ｄが形成されている。
【００４６】
また、この枠状部材４４０５において、光束入射側端面には、図９（Ｂ）に示すように、弾性部材４４０７の後述する第１弾性部材の形状に対応して矩形枠状の凹部４４０５Ｅが形成され、この凹部４４０５Ｅにて前記第１弾性部材を介して入射側偏光板４４２を支持する。そして、枠状部材４４０５が入射側偏光板４４２の光束射出側端面を支持することで、前記第１弾性部材、および入射側偏光板４４２の光束射出側端面にて、開口部４４０５Ａにおける光束入射側が閉塞される。
また、開口部４４０５Ａは、図９（Ｂ）に示すように、光束射出側端面から光束入射側端面に向けて開口面積が大きくなるように、光束入射側の角部分が面取りされ、斜面４４０５Ａ１を有している。また、開口部４４０５Ａ内側面の光束入射側には、図９（Ｂ）に示すように、冷却室区画部４４００を位置決め固定する４つの位置決め突起４４０５Ｋが形成されている。
これら位置決め突起４４０５Ｋは、図９（Ｂ）に示すように、開口部４４０５Ａ内側面の四隅位置近傍に位置し、断面略直角三角形を有する柱状に形成されている。そして、これら位置決め突起４４０５Ｋは、図９（Ｂ）に示すように、断面略直角三角形の斜辺に相当する端面が光束入射側に向き、上下方向中央部分に向けて光軸方向の厚み寸法が次第に小さくなるように配置されている。
【００４７】
さらに、この光束入射側端面には、図９（Ｂ）に示すように、開口部４４０５Ａの上下側端部周縁に、凹部４４０５Ｅよりも深さ寸法の大きい凹部４４０５Ｆが筒状部４４０５Ｃの孔４４０５Ｃ１および挿通孔４４０５Ｄと接続するようにそれぞれ形成されている。
これら凹部４４０５Ｆのうち、上方側に位置する凹部４４０５Ｆの上方側の側壁は、左右方向略中央部分が上方側に窪み凹となるように曲面状に形成されている。また、下方側に位置する凹部４４０５Ｆの下方側の側壁も同様に、左右方向略中央部分が下方側に窪み凹となるように曲面状に形成されている。
また、これら凹部４４０５Ｆの底面には、整流部４４０５Ｊがそれぞれ立設されている。
これら整流部４４０５Ｊは、断面略直角三角形状を有する三角柱状の２つの柱状部４４０５Ｊ１でそれぞれ構成されている。これら柱状部４４０５Ｊ１は、図９（Ｂ）に示すように、後述する流入口を介して流入した冷却流体を、液晶パネル４４１の光変調面に平行は方向に整流する整流面４４０５Ｊ２を有している。そして、これら柱状部４４０５Ｊ１は、図９（Ｂ）に示すように、所定の間隔を空けて配置されるとともに、断面略直角三角形状の斜辺に相当する整流面４４０５Ｊ２が互いに筒状部４４０５Ｃの孔４４０５Ｃ１または挿通孔４４０５Ｄの離間方向に拡がるように配置されている。
以上のように、液晶パネル４４１および入射側偏光板４４２により開口部４４０５Ａの光束入射側および光束射出側が閉塞されると、枠状部材４４０５内部（開口部４４０５Ａ内、および、凹部４４０５Ｆと入射側偏光板４４２との空隙）に冷却流体を封入可能とする冷却室Ｒ１（図１８参照）が形成される。
【００４８】
さらに、この枠状部材４４０５において、左側端部角隅部分および右側端部角隅部分には、図９に示すように、枠状部材４４０６と接続するための接続部４４０５Ｇがそれぞれ形成されている。
さらにまた、この枠状部材４４０５において、左側端部および右側端部には、図９に示すように、偏光板固定部材４４０８Ａが係合する３つのフック４４０５Ｈがそれぞれ形成されている。
これら３つのフック４４０５Ｈは、左側端部および右側端部において、上下方向端部近傍、および上下方向略中央部分にそれぞれ形成され、上下方向略中央部分を中心として対称配置されている。
【００４９】
また、この枠状部材４４０５において、その下方側端部略中央部分には、図９に示すように、下方側に位置する凹部４４０５Ｆの下方側の側壁に貫通し、外部からの冷却流体を内部に流入させる流入口４４０５Ｉが形成されている。この流入口４４０５Ｉは、流体循環部材４４８の管径寸法よりも小さい管径寸法を有する略筒状部材から構成され、枠状部材４４０５の外側に突出するように形成されている。そして、流入口４４０５Ｉの突出した端部には、流体分岐部４４０１の冷却流体流出部４４０１Ｃに接続された流体循環部材４４８の他端が接続され、該流体循環部材４４８を介して流体分岐部４４０１から流出した冷却流体が内部に流入する。
【００５０】
図１０は、枠状部材４４０６の概略構成を示す図である。具体的に、図１０（Ａ）は、枠状部材４４０６を光束射出側から見た斜視図である。また、図１０（Ｂ）は、枠状部材４４０６を光束入射側から見た斜視図である。
枠状部材４４０６は、上述した枠状部材４４０５と略同様に、略中央部分に液晶パネル４４１の光変調面に対応した矩形状の開口部４４０６Ａを有する平面視略矩形状のアルミニウム製の枠体である。そして、この枠状部材４４０６は、上述した枠状部材４４０５との間に、弾性部材４４０７および支持枠体４４０９を介して液晶パネル４４１を挟持するとともに、枠状部材４４０５と対向する面と反対の面側にて弾性部材４４０７を介して射出側偏光板４４３を支持する。
この枠状部材４４０６において、光束射出側端面には、図１０（Ａ）に示すように、弾性部材４４０７の後述する第４弾性部材の形状に対応して矩形枠状の凹部４４０６Ｂが形成され、この凹部４４０６Ｂにて前記第４弾性部材を介して射出側偏光板４４３を支持する。そして、枠状部材４４０６が射出側偏光板４４３の光束入射側端面を支持することで、前記第４弾性部材、および射出側偏光板４４３の光束入射側端面にて、開口部４４０６Ａにおける光束射出側が閉塞される。
【００５１】
この凹部４４０６Ｂにおける下方側の左右方向略中央部分には、図１０（Ａ）または図１０（Ｂ）に示すように、光束射出側端面および光束入射側端面を貫通し、上述した枠状部材４４０５における筒状部４４０５Ｃを挿通可能とする挿通孔４４０６Ｃが形成されている。そして、枠状部材４４０６と枠状部材４４０５とを組み合わせた状態では、枠状部材４４０５における筒状部４４０５Ｃが、支持枠体４４０９の後述する挿通孔、および弾性部材４４０７の後述する第３弾性部材の挿通孔を介して、枠状部材４４０６における挿通孔４４０６Ｃに挿通される。このため、流入口４４０５Ｉを介して枠状部材４４０５内部に流入した冷却流体は、筒状部４４０５Ｃの突出部４４０５Ｃ２（図１８参照）に分流され、筒状部４４０５Ｃの孔４４０５Ｃ１および挿通孔４４０６Ｃを介して枠状部材４４０５の光束入射側（冷却室Ｒ１（図１８参照））および枠状部材４４０６の光束射出側（後述する冷却室Ｒ２（図１８参照））に流通する。
【００５２】
また、開口部４４０６Ａは、図１０（Ａ）に示すように、枠状部材４４０５における開口部４４０５Ａと同様に、光束入射側端面から光束射出側端面に向けて開口面積が大きくなるように、光束射出側の角部分が面取りされ、斜面４４０６Ａ１を有している。また、開口部４４０６Ａ内側面には、枠状部材４４０５における位置決め突起４４０５Ｋと同様の、４つの位置決め突起４４０６Ｎが形成されている。
さらに、光束射出側端面には、図１０（Ａ）に示すように、開口部４４０６Ａの上下側端部周縁に、凹部４４０６Ｂよりも深さ寸法の大きい凹部４４０６Ｅが挿通孔４４０６Ｃ、および後述する筒状部の孔と接続するようにそれぞれ形成されている。
なお、凹部４４０６Ｅの形状は、上述した枠状部材４４０５における凹部４４０５Ｆの形状と略同様であり、説明を省略する。
また、凹部４４０６Ｅの底面には、枠状部材４４０５における凹部４４０５Ｆに立設された整流部４４０５Ｊ（柱状部４４０５Ｊ１および整流面４４０５Ｊ２を含む）と同様の、整流部４４０６Ｍ（柱状部４４０６Ｍ１および整流面４４０６Ｍ２を含む）が形成されている。
【００５３】
また、この枠状部材４４０６において、光束入射側端面には、図１０（Ｂ）に示すように、光束射出側に窪む凹部４４０６Ｇが形成されている。この凹部４４０６Ｇは、弾性部材４４０７の後述する第３弾性部材の形状に対応し、開口部４４０６Ａの周縁部分に位置し平面視略矩形枠形状を有する第１凹部４４０６Ｇ１と、下方側左右方向略中央部分に位置し平面視略円形状を有する第２凹部４４０６Ｇ２とで構成される。そして、これら凹部４４０６Ｇにて前記第３弾性部材を介して液晶パネル４４１の光束射出側端面を支持する。そして、枠状部材４４０６が液晶パネル４４１の光束射出側端面を支持することで、前記第３弾性部材、および液晶パネル４４１の光束射出側端面にて、開口部４４０６Ａにおける光束入射側が閉塞される。
また、第１凹部４４０６Ｇ１における上方側の左右方向略中央部分には、図１０（Ａ）または図１０（Ｂ）に示すように、上述した枠状部材４４０５における挿通孔４４０５Ｄに対応して、光束射出側端面および光束入射側端面を貫通する孔４４０６Ｄ１を有し、光束入射側端面から略直交して突出する筒状部４４０６Ｄが形成されている。そして、枠状部材４４０６と枠状部材４４０５とを組み合わせた状態では、枠状部材４４０６における筒状部４４０６Ｄが、液晶パネル４４１におけるフレキシブルプリント基板４４１Ｅの挿通孔４４１Ｅ１、支持枠体４４０９の後述する挿通孔、および弾性部材４４０７の後述する第２弾性部材の挿通孔を介して、枠状部材４４０５における挿通孔４４０５Ｄに挿通される。このため、枠状部材４４０５の光束入射側（冷却室Ｒ１（図１８参照））および枠状部材４４０６の光束射出側（後述する冷却室Ｒ２（図１８参照））を筒状部４４０６Ｄの孔４４０６Ｄ１、および挿通孔４４０５Ｄを介して冷却流体が流通可能となる。
【００５４】
ここで、筒状部４４０５Ｃ，４４０６Ｄの内径は、例えば、１mm〜５mmが好ましく、２mm〜３mmがさらに好ましい。本実施形態では、筒状部４４０５Ｃの内径断面積と、筒状部４４０６Ｄの内径断面積とは、略同一断面積で構成されている。また、挿通孔４４０６Ｃ，４４０５Ｄの内径は、それぞれ筒状部４４０５Ｃ，４４０６Ｄを嵌合可能な寸法に設定されている。
なお、筒状部４４０５Ｃの内径断面積と、筒状部４４０６Ｄの内径断面積とを略同一断面積とする構成に限らず、異なる内径断面積とする構成を採用してもよい。
【００５５】
以上のように、液晶パネル４４１および射出側偏光板４４３により開口部４４０６Ａの光束入射側および光束射出側が閉塞されると、枠状部材４４０６内部（開口部４４０６Ａ内、および、凹部４４０６Ｅと射出側偏光板４４３との空隙）に冷却流体を封入可能とする冷却室Ｒ２（図１８参照）が形成される。
また、光束入射側端面には、図１０（Ｂ）に示すように、筒状部４４０６Ｄの上方に位置し、光束入射側端面から略直交して突出する押圧部４４０６Ｈが形成されている。そして、枠状部材４４０６と枠状部材４４０５とを組み合わせた状態では、押圧部４４０６Ｈが、液晶パネル４４１におけるフレキシブルプリント基板４４１Ｅの挿通孔４４１Ｅ１に挿通され、その先端が支持枠体４４０９の後述する挿通孔の周縁に当接し、支持枠体４４０９を枠状部材４４０５側に押圧する。
さらに、光束入射側端面の上方側端部および下方側端部には、図１０（Ｂ）に示すように、支持枠体４４０９の後述する突出部に対応して、光束射出側に窪む２つの切り欠き４４０６Ｊがそれぞれ形成されている。そして、枠状部材４４０６と枠状部材４４０５とを組み合わせた状態では、４つの切り欠き４４０６Ｊを介して支持枠体４４０９の前記突出部が外側に突出する。
【００５６】
さらに、この枠状部材４４０６において、その上方側端部略中央部分には、図１０に示すように、上方側に位置する凹部４４０６Ｅの上方側の側壁に貫通するとともに筒状部４４０６Ｄと略直交して連通接続し、冷却室Ｒ１，Ｒ２（図１８参照）内部の冷却流体を外部に流出させる流出口４４０６Ｉが形成されている。この流出口４４０６Ｉは、流入口４４０５Ｉと同様に、流体循環部材４４８の管径寸法よりも小さい管径寸法を有する略筒状部材から構成され、枠状部材４４０６の外側に突出するように形成されている。そして、流出口４４０６Ｉの突出した端部には、流体循環部材４４８が接続され、流入口４４０５Ｉを介して冷却室Ｒ１（図１８参照）内に流入し、さらに挿通孔４４０５Ｄおよび筒状部４４０６Ｄの孔４４０６Ｄ１を介して冷却室Ｒ２（図１８参照）へと流入した冷却流体、および、流入口４４０５Ｉを介して流入し、さらに筒状部４４０５Ｃの突出部４４０５Ｃ２により分流されて冷却室Ｒ２（図１８参照）内に流入した冷却流体が該流体循環部材４４８を介して外部に流出される。
【００５７】
本実施形態では、流入口４４０５Ｉおよび流出口４４０６Ｉの内径断面積は、筒状部４４０５Ｃ，４４０６Ｄの内径断面積と略同一断面積となるように設定されている。このような構成とすることで、光変調素子保持体４４０２内での冷却流体の流路抵抗を略同一とすることができ、冷却流体の対流速度を速めることが可能となる。
なお、流入口４４０５Ｉおよび流出口４４０６Ｉの内径断面積を、筒状部４４０５Ｃ，４４０６Ｄの内径断面積と略同一断面積とする構成に限らず、異なる断面積とする構成を採用してもよい。
【００５８】
また、この枠状部材４４０６において、左側端部角隅部分および右側端部角隅部分には、図１０に示すように、枠状部材４４０５と接続するための接続部４４０６Ｋがそれぞれ形成されている。そして、枠状部材４４０５，４４０６の各接続部４４０５Ｇ，４４０６Ｋにねじ（図示省略）を螺合することで、液晶パネル４４１が支持枠体４４０９、弾性部材４４０７の後述する第２弾性部材および第３弾性部材を介して枠状部材４４０５，４４０６間に挟持され、枠状部材４４０５，４４０６の各開口部４４０５Ａ，４４０６Ａの対向する面側が封止される。
さらにまた、この枠状部材４４０６において、左側端部および右側端部には、図１０に示すように、枠状部材４４０５の３つのフック４４０５Ｈと同様の、３つのフック４４０６Ｌがそれぞれ形成されている。
【００５９】
弾性部材４４０７は、図８に示すように、入射側偏光板４４２および枠状部材４４０５の間に介在配置される第１弾性部材４４０７Ａと、枠状部材４４０５および液晶パネル４４１の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとで構成される。
このうち、第１弾性部材４４０７Ａ、および第４弾性部材４４０７Ｄは、図８に示すように、略矩形枠形状を有している。また、これら第１弾性部材４４０７Ａ、および第４弾性部材４４０７Ｄは、図８に示すように、一対の枠状部材４４０５，４４０６に対向する端面が平面状に形成され、入射側偏光板４４２および射出側偏光板４４３に対向する端面が曲面状に形成され、断面略半円形状を有している。そして、これら第１弾性部材４４０７Ａ、および第４弾性部材４４０７Ｄは、枠状部材４４０５，４４０６の各凹部４４０５Ｅ，４４０６Ｂにそれぞれ設置される。
【００６０】
また、第２弾性部材４４０７Ｂは、図８に示すように、平面視略矩形枠状の弾性部材４４０７Ｂ１と、弾性部材４４０７Ｂ１の上端縁略中央部分に位置し平面視略円形状の弾性部材４４０７Ｂ２とが一体的に形成されたものである。
このうち、弾性部材４４０７Ｂ１において、内周端部には、図８に示すように、該弾性部材４４０７Ｂ１の厚み寸法よりも小さい厚み寸法を有する断面視略円形状の弾性部材４４０７Ｂ４が一体的に形成されている。また、弾性部材４４０７Ｂ１は、液晶パネル４４１に対向する端面が平面状に形成され、枠状部材４４０５に対向する端面が曲面状に形成され、断面略半円形状を有している。そして、弾性部材４４０７Ｂ１，４４０７Ｂ４は、枠状部材４４０５の第１凹部４４０５Ｂ１に弾性部材４４０７Ｂ１の前記曲面が対向するように配置され、支持枠体４４０９および液晶パネル４４１を跨るように設置される。
また、弾性部材４４０７Ｂ２は、その略中央部分に枠状部材４４０６の筒状部４４０６Ｄを挿通可能とする挿通孔４４０７Ｂ３が形成されている。この弾性部材４４０７Ｂ２も上述した弾性部材４４０７Ｂ１と同様に断面略半円形状を有する。そして、この弾性部材４４０７Ｂ２は、枠状部材４４０５の第２凹部４４０５Ｂ２に前記曲面が当接し、支持枠体４４０９に前記平面が当接するように設置される。
【００６１】
さらに、第３弾性部材４４０７Ｃは、図８に示すように、平面視略矩形枠状の弾性部材４４０７Ｃ１と、弾性部材４４０７Ｃ１の下端縁略中央部分に位置し平面視略円形状の弾性部材４４０７Ｃ２とが一体的に形成されたものである。
このうち、弾性部材４４０７Ｃ１において、内周端部には、図８に示すように、該弾性部材４４０７Ｃ１の厚み寸法よりも小さい厚み寸法を有する断面視略円形状の弾性部材４４０７Ｃ４が一体的に形成されている。また、弾性部材４４０７Ｃ１は、弾性部材４４０７Ｂ１と同様に、液晶パネル４４１に対向する端面が平面状に形成され、枠状部材４４０６に対向する端面が曲面状に形成され、断面略半円形状を有している。そして、弾性部材４４０７Ｃ１および弾性部材４４０７Ｃ４は、枠状部材４４０６の第１凹部４４０６Ｇ１に弾性部材４４０７Ｃ１の前記曲面が対向するように配置され、支持枠体４４０９および液晶パネル４４１を跨るように設置される。
また、弾性部材４４０７Ｃ２は、その略中央部分に枠状部材４４０５の筒状部４４０５Ｃを挿通可能とする挿通孔４４０７Ｃ３が形成されている。この弾性部材４４０７Ｃ２も上述した弾性部材４４０７Ｃ１と同様に断面略半円形状を有する。そして、この弾性部材４４０７Ｃ２は、枠状部材４４０６の第２凹部４４０６Ｇ２に前記曲面が当接し、支持枠体４４０９に前記平面が当接するように設置される。
【００６２】
そして、これら弾性部材４４０７は、枠状部材４４０５，４４０６の各冷却室Ｒ１，Ｒ２（図１８参照）を封止し、入射側偏光板４４２および枠状部材４４０５、枠状部材４４０５および液晶パネル４４１、液晶パネル４４１および枠状部材４４０６、枠状部材４４０６および射出側偏光板４４３の間から冷却流体が漏れることを防止するとともに、筒状部４４０５Ｃ，４４０６Ｄおよび挿通孔４４０６Ｃ，４４０５Ｄの接続部分から液晶パネル４４１側に冷却流体が漏れることも防止している。
【００６３】
上述した弾性部材４４０７としては、硬度Ｈｓ（ＪＩＳスプリング式）が３０〜５０のゴム部材で構成することが好ましい。その材料は、特に限定されず、例えば、シリコンゴム、水分透過量の少ないブチルゴムまたはフッ素ゴム等が例示できる。
【００６４】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６の各凹部４４０５Ｅ，４４０６Ｂにそれぞれ押圧固定する。これら偏光板固定部材４４０８Ａ，４４０８Ｂは、図８に示すように、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂの左右側端縁には、一対の枠状部材４４０５，４４０６の各フック４４０５Ｈ，４４０６Ｌに対応して板面から略直交して突出する３つのフック係合部４４０８Ａ２，４４０８Ｂ２がそれぞれ形成されている。そして、偏光板固定部材４４０８Ａ，４４０８Ｂの各フック係合部４４０８Ａ２，４４０８Ｂ２を枠状部材４４０５，４４０６の各フック４４０５Ｈ，４４０６Ｌに係合させることで、枠状部材４４０５，４４０６に対して偏光板固定部材４４０８Ａ，４４０８Ｂが入射側偏光板４４２および射出側偏光板４４３を押圧した状態で固定される。
上述した偏光板固定部材４４０８Ａ，４４０８Ｂの厚み寸法は、０．３ｍｍ以上の厚みを有していることが好ましく、さらに好ましくは０．５ｍｍで構成することが好ましい。このように構成することで、偏光板固定部材４４０８Ａ，４４０８Ｂの強度を良好に維持でき、一対の枠状部材４４０５，４４０６に対して入射側偏光板４４２および射出側偏光板４４３を良好に押圧固定できる。
【００６５】
図１１は、支持枠体４４０９の概略構成を示す分解斜視図である。具体的に、支持枠体４４０９を光束射出側から見た分解斜視図である。
図１２は、支持枠体４４０９に液晶パネル４４１を組み込んだ状態を示す図である。具体的に、図１２（Ａ）は、支持枠体４４０９を光束射出側から見た図である。図１２（Ｂ）は、図１２（Ａ）におけるＣ−Ｃ線の断面図である。図１２（Ｃ）は、支持枠体４４０９を光束入射側から見た図である。
支持枠体４４０９は、アルミニウム製の平面視略矩形状の板体から構成され、液晶パネル４４１を保持するとともに、該液晶パネル４４１を光源装置４１１から射出される光束の照明光軸Ａに対する所定位置に位置決めするものである。この支持枠体４４０９は、図８、図１１または図１２に示すように、支持枠体本体４４０９Ａと、支持補助部４４０９Ｂとを備える。
【００６６】
支持枠体本体４４０９Ａは、液晶パネル４４１を支持する基体であり、平面視略矩形状の板体から構成される。
この支持枠体本体４４０９Ａにおいて、その略中央部分には、図１１または図１２に示すように、液晶パネル４４１の駆動基板４４１Ｃの外形寸法と略同一寸法を有する開口部４４０９Ａ１が形成されている。
また、支持枠体本体４４０９Ａにおいて、光束入射側端面には、図１１または図１２（Ｃ）に示すように、開口部４４０９Ａ１周縁から光束入射側に膨出する膨出部４４０９Ａ２が形成されている。
この膨出部４４０９Ａ２において、その上方側端部は、図１２（Ａ）または図１２（Ｂ）に示すように、開口部４４０９Ａ１の内側、すなわち、下方側に延出形成されている。このため、開口部４４０９Ａ１における内側面上方側には、図１２（Ａ）または図１２（Ｂ）に示すように、段差部４４０９Ａ３が形成される。そして、この段差部４４０９Ａ３の底部は、図１２（Ａ）または図１２（Ｂ）に示すように、液晶パネル４４１を支持枠体４４０９に組み込んだ状態では、液晶パネル４４１における駆動基板４４１Ｃの上方側端部と平面的に干渉する。すなわち、この段差部４４０９Ａ３は、駆動基板４４１Ｃの光束入射側端面と当接し、液晶パネル４４１の面外方向の位置を規制する機能を有する。
また、開口部４４０９Ａ１の内側面において、膨出部４４０９Ａ２における上方側端部の膨出方向基端部分には、図１２（Ａ）に示すように、液晶パネル４４１のフレキシブルプリント基板４４１Ｅの幅寸法に応じて孔４４０９Ａ４が形成されており、支持枠体４４０９に液晶パネル４４１が設置された状態では、該孔４４０９Ａ４にフレキシブルプリント基板４４１Ｅが挿通される。
【００６７】
さらに、開口部４４０９Ａ１の内側面において、膨出部４４０９Ａ２側には、図１１、図１２（Ｂ）、または図１２（Ｃ）に示すように、開口部４４０９Ａ１の内側に突出する複数の突起部４４０９Ａ５が形成されている。本実施形態では、内側面の各側端縁にそれぞれ２つの突起部４４０９Ａ５が形成されている。なお、突起部４４０９Ａ５の数は、上述した数に限らない。そして、これら突起部４４０９Ａ５は、その先端部分を結ぶ軌跡が液晶パネル４４１の対向基板４４１Ｄの外形位置基準面となるように設定され、液晶パネル４４１の面内方向の位置を規制する機能を有する。
【００６８】
さらに、支持枠体本体４４０９Ａにおいて、光束入射側端面には、図１１または図１２（Ｃ）に示すように、膨出部４４０９Ａ２の上方側で左右方向両端部近傍に、光束入射側に向けて突出するピン４４０９Ａ６がそれぞれ形成されている。
さらにまた、支持枠体本体４４０９Ａにおいて、上方側端部角隅部分および下方側端部角隅部分には、図１１または図１２に示すように、上方向および下方向にそれぞれ延出し、光変調素子保持体４４０２が組み立てられた状態で一対の枠状部材４４０５，４４０６の側端部から平面的に突出する４つの突出部４４０９Ａ７が形成されている。そして、これら突出部４４０９Ａ７の先端部分には、図１１または図１２に示すように、支持部材４４０３の後述するピン状部材を挿通可能とする取付孔４４０９Ａ８がそれぞれ形成されている。
また、支持枠体本体４４０９Ａにおいて、下方側端部略中央部分には、図１１または図１２に示すように、枠状部材４４０５の筒状部４４０５Ｃを挿通可能とする挿通孔４４０９Ａ９が形成されている。
【００６９】
支持補助部４４０９Ｂは、支持枠体本体４４０９Ａにおける光束入射側端面の膨出部４４０９Ａ２の上方側に取り付けられ、支持枠体本体４４０９Ａによる液晶パネル４４１の支持状態を補助する部分である。この支持補助部４４０９Ｂは、支持枠体本体４４０９Ａにおける光束入射側端面の上方側端部に対応した形状を有し、左右方向に延出した平面視略矩形状の板体から構成される。
この支持補助部４４０９Ｂの左右両端部近傍には、図１１または図１２（Ｃ）に示すように、光束入射側端面および光束射出側端面を貫通し、支持枠体本体４４０９Ａのピン４４０９Ａ６を嵌合可能とする嵌合孔４４０９Ｂ１がそれぞれ形成されている。
また、支持補助部４４０９Ｂにおいて、その光束射出側端面の左右方向略中央部分には、図１１に示すように、液晶パネル４４１のフレキシブルプリント基板４４１Ｅの幅寸法に対応した幅寸法を有し、光束入射側に窪む凹部４４０９Ｂ２が形成されている。
さらに、支持補助部４４０９Ｂにおいて、上方側端部略中央部分には、図１１または図１２（Ｃ）に示すように、上方に向けて延出し、枠状部材４４０６の筒状部４４０６Ｄを挿通可能とする挿通孔４４０９Ｂ３が形成されている。
【００７０】
以上説明した支持枠体４４０９に対する液晶パネル４４１の組み込みは、以下のように実施される。
先ず、支持枠体本体４４０９Ａの光束射出側から、液晶パネル４４１のフレキシブルプリント基板４４１Ｅを開口部４４０９Ａ１に挿通するとともに該開口部４４０９Ａ１から孔４４０９Ａ４を介して支持枠体本体４４０９Ａの外部に突出させるように、液晶パネル４４１を開口部４４０９Ａ１に設置する。この際、駆動基板４４１Ｃの光束入射側端面が段差部４４０９Ａ３に当接し液晶パネル４４１の面外方向の位置が規制されるとともに、対向基板４４１Ｄの外側面が複数の突起部４４０９Ａ５の先端に当接し液晶パネル４４１の面外方向の位置が規制され、支持枠体本体４４０９Ａに対して液晶パネル４４１が位置決めされる。
ここで、支持枠体本体４４０９Ａにおける膨出部４４０９Ａ２の形成位置での厚み寸法は、図１２（Ｂ）に示すように、液晶パネル４４１の厚み寸法と略同一となるように設定されている。また、光束射出側端面から段差部４４０９Ａ３の底部までの寸法は、図１２（Ｂ）に示すように、液晶パネル４４１の駆動基板４４１Ｃの厚み寸法と略同一となるように設定されている。このため、支持枠体本体４４０９Ａに液晶パネル４４１を設置した状態では、図１２（Ｂ）に示すように、支持枠体本体４４０９Ａの光束射出側端面、および膨出部４４０９Ａ２の光束入射側端面と、液晶パネル４４１の光束射出側端面および光束入射側端面とがそれぞれ略面一となる。
【００７１】
支持枠体本体４４０９Ａに液晶パネル４４１を位置決めした後、開口部４４０９Ａ１の内側面と駆動基板４４１Ｃの外周との間の隙間、および、開口部４４０９Ａ１の内側面と対向基板４４１Ｄの外周との間で複数の突起部４４０９Ａ５によって形成される隙間に、伸び率の高い接着剤を充填させる。このため、液晶パネル４４１が支持枠体本体４４０９Ａに対して位置決め固定されるとともに、前記隙間から冷却流体が液晶パネル４４１の内部に流入することが防止される。
なお、この接着剤としては、前記隙間から流入してくる冷却流体を遮断する材質、例えば、ウレタンゴム等を混ぜ合わせたものが好ましい。また、紫外線硬化タイプや嫌気タイプの主剤をベースにすれば、組み立て作業性の向上が図れる。
【００７２】
支持枠体本体４４０９Ａに液晶パネル４４１を位置決め固定した後、支持枠体本体４４０９Ａにおける光束入射側端面の膨出部４４０９Ａ２の上方側に支持補助部４４０９Ｂを取り付ける。
具体的に、支持枠体本体４４０９Ａのピン４４０９Ａ６に支持補助部４４０９Ｂの嵌合孔４４０９Ｂ１を嵌合させるように、支持枠体本体４４０９Ａに対して支持補助部４４０９Ｂを設置する。この際、支持枠体本体４４０９Ａの孔４４０９Ａ４を介して突出する液晶パネル４４１のフレキシブルプリント基板４４１Ｅは、支持補助部４４０９Ｂの凹部４４０９Ｂ２と支持枠体本体４４０９Ａの光束入射側端面との間に形成される空間内に遊嵌配置される。
そして、支持枠体本体４４０９Ａと支持補助部４４０９Ｂとの間の隙間に、支持枠体本体４４０９Ａに対する液晶パネル４４１の位置決めの際に用いた接着剤と同様の接着剤を充填し、支持枠体本体４４０９Ａに対して支持補助部４４０９Ｂを固定する。
ここで、支持補助部４４０９Ｂの厚み寸法は、図１２（Ｂ）に示すように、支持枠体本体４４０９Ａにおける膨出部４４０９Ａ２の膨出方向の高さ寸法と略同一に設定されている。このため、支持枠体本体４４０９Ａに対して支持補助部４４０９Ｂを取り付けた状態では、図１２（Ｂ）に示すように、膨出部４４０９Ａ２の光束入射側端面と、支持補助部４４０９Ｂの光束入射側端面とが略面一となる。
【００７３】
また、液晶パネル４４１が組み込まれた支持枠体４４０９を一対の枠状部材４４０５，４４０６に組み込む際には、支持枠体本体４４０９Ａの挿通孔４４０９Ａ９、および支持補助部４４０９Ｂの挿通孔４４０９Ｂ３が、一対の枠状部材４４０５，４４０６に対する支持枠体４４０９の位置決め用の孔としての機能を果たす。すなわち、支持枠体４４０９の挿通孔４４０９Ａ９，４４０９Ｂ３に一対の枠状部材４４０５，４４０６の筒状部４４０５Ｃ，４４０６Ｄをそれぞれ挿通することで、一対の枠状部材４４０５，４４０６に対して支持枠体４４０９が位置決めされ、すなわち、液晶パネル４４１が枠状部材４４０５，４４０６の所定位置に位置決めされる。そして、一対の枠状部材４４０５，４４０６および支持枠体４４０９を組み立てた状態では、一対の枠状部材４４０５，４４０６における第１凹部４４０５Ｂ１，４４０６Ｇ１の開口部分が、支持枠体４４０９の光束入射側端面および液晶パネル４４１の対向基板４４１Ｄの光束入射側端面、および、支持枠体４４０９の光束射出側端面および液晶パネル４４１の駆動基板４４１Ｃの光束射出側端面にそれぞれ閉塞され、第２弾性部材４４０７Ｂの弾性部材４４０７Ｂ１，４４０７Ｂ４、および第３弾性部材４４０７Ｃの弾性部材４４０７Ｃ１，４４０７Ｃ４が収納される弾性部材収納部４４０７Ｅがそれぞれ形成される（図１８参照）。
【００７４】
図１３および図１４は、冷却室区画部４４００の構造を示す図である。具体的に、図１３は、枠状部材４４０５と入射側偏光板４４２との間に配置される冷却室区画部４４００を光束射出側から見た分解斜視図である。図１４（Ａ）は、枠状部材４４０５と入射側偏光板４４２との間に配置される冷却室区画部４４００を光束射出側から見た図である。図１４（Ｂ）は、図１４（Ａ）のＤ−Ｄ線の断面図である。図１４（Ｃ）は、図１４（Ａ）のＥ−Ｅ線の断面図である。
２つの冷却室区画部４４００は、図８に示すように、枠状部材４４０５と入射側偏光板４４２との間、枠状部材４４０６と射出側偏光板４４３との間にそれぞれ配置される。そして、これら２つの冷却室区画部４４００は、各冷却室Ｒ１，Ｒ２内に配置された状態で、各冷却室Ｒ１，Ｒ２を２つの領域に区画する。なお、２つの冷却室区画部４４００は、同様の構成であり、以下では枠状部材４４０５と入射側偏光板４４２との間に配置される冷却室区画部４４００のみを説明する。
この冷却室区画部４４００は、図１３または図１４に示すように、区画部本体４４００Ａと、遮光部４４００Ｂとで構成される。
【００７５】
区画部本体４４００Ａは、図８に示すように、枠状部材４４０５の開口部４４０５Ａよりも若干小さい外形寸法を有する平面視略矩形状の透光性部材から構成される。なお、区画部本体４４００Ａの材料としては、透光性を有していればいずれの基板も採用でき、例えば、白板ガラスで構成してもよく、あるいは、上述した透光性基板４４２Ａ，４４３Ａと同様に白板・強化ガラス（テンパックス）、サファイアガラス、水晶、またはＹＡＧ等で構成してもよい。
この区画部本体４４００Ａにおいて、上下側端部には、図１３または図１４（Ｂ）に示すように、光束射出側の角部分のみが面取りされた斜面４４００Ａ２を有するテーパ部４４００Ａ１が形成されている。すなわち、上下側端部は、テーパ部４４００Ａ１により、上下方向に向かうにしたがって断面積が小さくなる形状を有している。
【００７６】
遮光部４４００Ｂは、図１３または図１４に示すように、略中央部分に開口部４４００Ｂ１を有する例えば、アルミニウム、クロム等の金属製の矩形枠体で構成され、所定の光束を遮光する。この遮光部４４００Ｂは、例えば、プレス加工等により形成される。
この遮光部４４００Ｂにおいて、上下端部および左右端部には、図１３または図１４に示すように、区画部本体４４００Ａの外周端部に応じた形状を有するように光束入射側に張り出す張出部４４００Ｂ２を有する。そして、区画部本体４４００Ａの光束射出側から区画部本体４４００Ａの外周端部に張出部４４００Ｂ２の内側面を当接させることで、区画部本体４４００Ａの外周縁部を覆うように遮光部４４００Ｂが取り付けられる。なお、区画部本体４４００Ａに対する遮光部４４００Ｂの取り付けは、例えば、接着剤等により実施すればよい。
なお、遮光部４４００Ｂによる光束の遮光構造については、後述する。
【００７７】
そして、冷却室区画部４４００は、光変調素子保持体４４０２を組み立てる際、遮光部４４００Ｂにおける上下側の張出部４４００Ｂ２の外側面を枠状部材４４０５の４つの位置決め突起４４０５Ｋにそれぞれ当接することで、枠状部材４４０５にそれぞれ位置決めされ、例えば、接着剤等により枠状部材４４０５に対して固定される。
なお、枠状部材４４０６と射出側偏光板４４３との間に配置される冷却室区画部４４００は、図８に示すように、枠状部材４４０５と入射側偏光板４４２との間に配置される冷却室区画部４４００と光軸方向の両端面が逆になるように配置される。
【００７８】
上述したように、冷却室Ｒ１内に冷却室区画部４４００を配置した状態では、入射側偏光板４４２の光束射出側端面、凹部４４０５Ｆ、整流部４４０５Ｊ、および冷却室区画部４４００の上下側端部により、冷却流体を一時的に蓄積可能とするバッファ部Ｂｆ１（図１８参照）が形成される。また、冷却室Ｒ２内も同様に、射出側偏光板４４３の光束入射側端面、凹部４４０６Ｅ、整流部４４０６Ｍ、および冷却室区画部４４００の上下側端部により、バッファ部Ｂｆ１（図１８参照）が形成される。
【００７９】
本実施形態では、冷却室区画部４４００を冷却室Ｒ１に配置した状態で、入射側偏光板４４２と冷却室区画部４４００との離間寸法Ｄ１（図１８参照）よりも、液晶パネル４４１と冷却室区画部４４００との離間寸法Ｄ２（図１８参照）が大きくなるように設定されている。
なお、冷却室Ｒ２に配置される冷却室区画部４４００も上記同様に、射出側偏光板４４３と冷却室区画部４４００との離間寸法Ｄ１（図１８参照）よりも、液晶パネル４４１と冷却室区画部４４００との離間寸法Ｄ２（図１８参照）が大きくなるように設定されている。
ここで、離間寸法Ｄ１は、０．３mm〜１．０mmとすることが好ましく、本実施形態では０．７mmに設定されている。また、離間寸法Ｄ２は、１．０mm〜２．０mmとすることが好ましく、本実施形態では１．４mmに設定されている。
また、本実施形態では、整流部４４０５Ｊ，４４０６Ｍと入射側偏光板４４２および射出側偏光板４４３との各離間寸法Ｄ３（図１８参照）は、上述した離間寸法Ｄ１よりも小さくなるように設定されている。本実施形態では、各離間寸法Ｄ３が０．４mmに設定されている。
【００８０】
〔支持部材の構造〕
支持部材４４０３は、略中央部分に図示しない開口が形成された平面視矩形枠状の板体から構成される。なお、この支持部材４４０３の材料は、特に限定されないが、例えば、アルミニウムで構成してもよいし、光変調素子保持体４４０２の構成材料であるアルミニウムと、クロスダイクロイックプリズム４４４の構成材料の略中間の熱膨張係数を有する鉄系材料で構成してもよい。
この支持部材４４０３において、光束入射側端面には、図５または図６に示すように、光変調素子保持体４４０２における支持枠体４４０９の４つの取付孔４４０９Ａ８に対応した位置に、板体から突出するピン状部材４４０３Ａが形成されている。
そして、支持部材４４０３は、ピン状部材４４０３Ａを光変調素子保持体４４０２の４つの取付孔４４０９Ａ８に挿通することで該光変調素子保持体４４０２を支持し、板体の光束射出側端面をクロスダイクロイックプリズム４４４の光束入射側端面に接着固定することで、光変調素子保持体４４０２をクロスダイクロイックプリズム４４４に一体化する。
【００８１】
〔中継タンクの構造〕
図１５は、中継タンク４４０４の構造を示す図である。具体的に、図１５（Ａ）は、中継タンク４４０４を上方から見た平面図である。また、図１５（Ｂ）は、図１５（Ａ）におけるＦ−Ｆ線の断面図である。
中継タンク４４０４は、略円柱状のアルミニウム製の中空部材で構成され、クロスダイクロイックプリズム４４４の３つの光束入射側端面に交差する端面である上面に固定される。そして、この中継タンク４４０４は、各光変調素子保持体４４０２から送出された冷却流体を一括して送入し、送入した冷却流体を外部に送出する。
この中継タンク４４０４において、その上面には、図１５に示すように、各光変調素子保持体４４０２から送出された冷却流体を内部に流入させる３つの冷却流体流入部４４０４Ａが形成されている。これら冷却流体流入部４４０４Ａは、流体循環部材４４８の管径寸法よりも小さい管径寸法を有する略筒状部材から構成され、中継タンク４４０４内外に突出するように配置されている。そして、各冷却流体流入部４４０４Ａの外側に突出した端部には、３つの光変調素子保持体４４０２の各流出口４４０６Ｉと接続された流体循環部材４４８の他端が接続され、該流体循環部材４４８を介して各光変調素子保持体４４０２から送出された冷却流体が一括して中継タンク４４０４内部に流入する。
【００８２】
また、この中継タンク４４０４において、外側面の下方側には、図１５に示すように、送入された冷却流体を外部に流出させる冷却流体流出部４４０４Ｂが形成されている。この冷却流体流出部４４０４Ｂは、冷却流体流入部４４０４Ａと同様に、流体循環部材４４８の管径寸法よりも小さい管径寸法を有する略筒状部材から構成され、中継タンク４４０４内外に突出するように配置されている。そして、冷却流体流出部４４０４Ｂの外側に突出した端部には、流体循環部材４４８の一端が接続され、該流体循環部材４４８を介して中継タンク４４０４内部の冷却流体が外部へと流出する。
【００８３】
〔ラジエータの構造〕
図１６は、ラジエータ４４７の構造、およびラジエータ４４７と軸流ファン３２との配置関係を示す図である。具体的に、図１６（Ａ）は、ラジエータ４４７および軸流ファン３２を上方から見た斜視図である。また、図１６（Ｂ）は、ラジエータ４４７および軸流ファン３２をラジエータ４４７側から見た平面図である。
ラジエータ４４７は、図１または図２に示すように、外装ケース２に形成された隔壁２１内に配置され、光学装置本体４４０において各液晶パネル４４１、各入射側偏光板４４２、および各射出側偏光板４４３にて温められた冷却流体の熱を放熱する。このラジエータ４４７は、図１６に示すように、固定部４４７１と、管状部材４４７２と、複数のフィン４４７３とを備える。
固定部４４７１は、例えば、金属等の熱伝導性部材から構成され、図１６（Ｂ）に示すように、平面視略コ字形状を有し、対向するコ字状端縁に管状部材４４７２が挿通可能に構成されている。また、この固定部４４７１は、コ字状内側面にて複数の放熱フィン４４７３を支持する。この固定部４４７１のコ字状先端部分には、外側に延出する延出部４４７１Ａが形成され、該延出部４４７１Ａの孔４４７１Ａ１を介して図示しないねじを外装ケース２に螺合することでラジエータ４４７が外装ケース２に固定される。
【００８４】
管状部材４４７２は、アルミニウムから構成され、図１６（Ｂ）に示すように、固定部４４７１の一方のコ字状先端端縁から他方のコ字状先端端縁に向けて延出し、この延出方向先端部分が略９０°屈曲して下方側に延出し、さらにこの延出方向先端部分が略９０°屈曲して固定部４４７１の他方のコ字状先端端縁から一方のコ字状先端端縁に向けて延出する平面視略コ字形状を有し、固定部４４７１および放熱フィン４４７３と熱伝達可能に接続する。また、この管状部材４４７２は、流体循環部材４４８の管径寸法よりも小さい管径寸法を有し、図１６（Ｂ）に示す上方側の一端が、光学装置本体４４０における中継タンク４４０４の冷却流体流出部４４０４Ｂと接続した流体循環部材４４８の他端と接続する。また、図１６（Ｂ）に示す下方側の他端が、メインタンク４４５の冷却流体流入部４４５Ａと接続した流体循環部材４４８の他端と接続する。したがって、中継タンク４４０４から流出した冷却流体が流体循環部材４４８を介して管状部材４４７２を通り、管状部材４４７２を通った冷却流体が流体循環部材４４８を介してメインタンク４４５内に流入する。
【００８５】
放熱フィン４４７３は、例えば、金属等の熱伝導性部材からなる板体で構成され、管状部材４４７２を挿通可能に構成されている。そして、複数の放熱フィン４４７３は、管状部材４４７２の挿通方向と直交する方向に延びるようにそれぞれ形成され、管状部材４４７２の挿通方向に沿って並列配置している。このような複数の放熱フィン４４７３の配置状態では、図１６に示すように、軸流ファン３２から吐出される冷却空気は、複数の放熱フィン４４７３の間を通り抜けることになる。
【００８６】
以上説明したように、冷却流体は、複数の流体循環部材４４８を介して、メインタンク４４５〜流体圧送部４４６〜流体分岐部４４０１〜各光変調素子保持体４４０２〜中継タンク４４０４〜ラジエータ４４７〜メインタンク４４５という流路を循環する。
【００８７】
〔冷却構造〕
次に、液晶パネル４４１、入射側偏光板４４２、および射出側偏光板４４３の冷却構造を説明する。
図１７および図１８は、液晶パネル４４１、入射側偏光板４４２、および射出側偏光板４４３の冷却構造を説明するための図である。具体的に、図１７は、光変調素子保持体４４０２を光束射出側から見た平面図である。図１８は、図１７におけるＧ−Ｇ線の断面図である。
流体圧送部４４６が駆動することにより、メインタンク４４５内部の冷却流体が流体圧送部４４６を介して流体分岐部４４０１に圧送され、流体分岐部４４０１にて分岐されて各光変調素子保持体４４０２の各冷却室Ｒ１，Ｒ２内部に流入する。この際、各冷却室Ｒ１，Ｒ２内部に流入した冷却流体は、各バッファ部Ｂｆ１にて一時的に蓄積された後、整流部４４０５Ｊ，４４０６Ｍにて液晶パネル４４１の光変調面に平行な方向に整流されるとともに、冷却室区画部４４００における下方側端部に形成された各斜面４４００Ａ２にて光束入射側および光束射出側に整流され冷却室区画部４４００の光束入射側端面および光束射出側端面に沿って対流する。
【００８８】
ここで、光源装置４１１から射出された光束により、液晶パネル４４１、入射側偏光板４４２、および射出側偏光板４４３に生じた熱は、各冷却室Ｒ１，Ｒ２内の冷却流体に伝達される。
冷却室Ｒ２内の冷却流体に伝達された熱は、図１８に示すように、冷却流体の流れにしたがって、図１８中、上方に向けて進み、枠状部材４４０６における上方側の凹部４４０６Ｅおよび整流部４４０６Ｍにより、左右方向略中央部分に案内され、流出口４４０６Ｉを介して冷却室Ｒ２外部へと移動する。
一方、冷却室Ｒ１内の冷却流体に伝達された熱は、図１８に示すように、冷却流体の流れにしたがって、図１８中、上方に向けて移動する。また、上方に向けて移動した熱は、冷却流体の流れにしたがって、枠状部材４４０５における上方側の凹部４４０５Ｆおよび整流部４４０５Ｊにより、左右方向略中央部分に案内される。そして、左右方向略中央部分へと案内された熱は、図１８に示すように、冷却流体の流れにしたがって、挿通孔４４０５Ｄおよび筒状部４４０６Ｄの孔４４０６Ｄ１を介して、冷却室Ｒ２内に移動し、流出口４４０６Ｉを介して冷却室Ｒ２外部へと移動する。
【００８９】
冷却室Ｒ１，Ｒ２から流出口４４０６Ｉを介して光変調素子保持体４４０２外部へと移動した熱は、冷却流体の流れにしたがって、中継タンク４４０４〜ラジエータ４４７へと移動する。温められた冷却流体がラジエータ４４７の管状部材４４７２を通過する際、該冷却流体の熱は、管状部材４４７２〜複数の放熱フィン４４７３に伝達される。そして、軸流ファン３２から吐出される冷却空気により、複数の放熱フィン４４７３に伝達された熱が冷却される。
そして、ラジエータ４４７にて冷却された冷却流体は、ラジエータ４４７〜メインタンク４４５〜流体圧送部４４６〜流体分岐部４４０１へと移動し、再度、冷却室Ｒ１，Ｒ２へと移動する。
【００９０】
また、冷却ユニット３のシロッコファン３１によりプロジェクタ１外部から内部に導入された冷却空気は、光学部品用筐体４５の底面に形成された孔４５１Ｃを介して光学部品用筐体４５内に導入される。光学部品用筐体４５内に導入された冷却空気は、光変調素子保持体４４０２の外面、および光変調素子保持体４４０２と支持部材４４０３との間に流入し、下方から上方に向けて流通する。この際、冷却空気は、入射側偏光板４４２の光束入射側端面および射出側偏光板４４３の光束射出側端面を冷却しながら流通する。
【００９１】
〔遮光構造〕
次に、冷却室区画部４４００における遮光部４４００Ｂによる光束の遮光構造を説明する。
図１９は、遮光部４４００Ｂによる光束の遮光構造を説明するための図である。具体的に、図１９は、図１８の一部を拡大した図である。
冷却室Ｒ１内部に配置される冷却室区画部４４００における遮光部４４００Ｂは、図１９に示すように、光源装置４１１から射出され液晶パネル４４１の光変調面４４１Ｆに照射される照明光Ｌ１が通過する境界位置に開口部４４００Ｂ１の開口端部が位置するように設けられている。このため、光変調面４４１Ｆへの照明光Ｌ１の入射角θ１（図１９）よりも大きい角度θ（図１９）を有して光変調面４４１Ｆの外縁側から入射する光束Ｌ２（例えば、各構成部材にて反射、若しくは散乱した不要光）は、遮光部４４００Ｂにて遮光される。
また、冷却室Ｒ２内部に配置される冷却室区画部４４００における遮光部４４００Ｂは、図１９に示すように、液晶パネル４４１の光変調面４４１Ｆにて形成された光学像が射出され投射レンズ５に呑み込まれる像光Ｌ３が通過する境界位置に開口部４４００Ｂ１の開口端部が位置するように設けられている。このため、投射レンズ５の呑み込み角度θ２（図１９）よりも大きい角度θ（図１９）を有して光変調面４４１Ｆの外縁側から入射する光束Ｌ４（例えば、投射レンズ５にて反射した戻り光等の不要光）は、遮光部４４００Ｂにて遮光される。
【００９２】
上述した第１実施形態においては、冷却室Ｒ１，Ｒ２内部には冷却室区画部４４００がそれぞれ設けられ、各枠状部材４４０５，４４０６には整流部４４０５Ｊ，４４０６Ｍがそれぞれ形成されているので、冷却室Ｒ１内部に、入射側偏光板４４２、凹部４４０５Ｆ、整流部４４０５Ｊ、および冷却室区画部４４００の斜面４４００Ａ２によりバッファ部Ｂｆ１を形成することができる。また、冷却室Ｒ２内部も同様に、射出側偏光板４４３、凹部４４０６Ｅ、整流部４４０６Ｍ、および冷却室区画部４４００の斜面４４００Ａ２によりバッファ部Ｂｆ１を形成することができる。このため、流入口４４０５Ｉを介して冷却室Ｒ１，Ｒ２内部に流入した冷却流体を、バッファ部Ｂｆ１にて一時的に蓄積した後、整流部４４０５Ｊ，４４０６Ｍにて液晶パネル４４１の光変調面４４１Ｆに平行な方向に整流できるとともに、冷却室区画部４４００により該冷却室区画部４４００の光束入射側および光束射出側に整流できる。このため、冷却室Ｒ１，Ｒ２内部の各位置での冷却流体の流速の均一化が図れ、液晶パネル４４１にて形成された光学像に筋状の像が含まれることなく、液晶パネル４４１にて形成された光学像を良好に維持できる。
【００９３】
また、冷却室Ｒ１，Ｒ２内部に冷却室区画部４４００を配置することで、冷却室Ｒ１，Ｒ２内における液晶パネル４４１と接触する冷却流体層の厚みを縮小でき、液晶パネル４４１と接触する冷却流体の対流速度を速めることができる。このため、液晶パネル４４１の面内温度の均一化も図れ、局所的な過熱を回避し、液晶パネル４４１にて鮮明な光学像を形成できる。
【００９４】
さらに、冷却室区画部４４００には遮光部４４００Ｂが設けられているので、液晶パネル４４１の光変調面４４１Ｆよりも平面的に外側から入射する不要光を遮光できる。このため、不要光により形成される像が液晶パネル４４１にて形成した光学像に含まれることがなく、液晶パネル４４１にて形成した光学像をさらに良好に維持できる。また、遮光部４４００Ｂにより不要光を遮光することで、不要光の照射による液晶パネル４４１の温度上昇も回避でき、温度上昇による画質の低下を防止できる。
ここで、遮光部４４００Ｂは、照明光Ｌ１および像光Ｌ３が通過する境界位置に開口部４４００Ｂ１の開口端部が位置するように冷却室区画部４４００に設けられているので、遮光部４４００Ｂが照明光Ｌ１および像光Ｌ３に干渉することなく、不要光のみを効果的に遮光できる。また、冷却室区画部４４００が液晶パネル４４１の光束入射側および光束射出側にそれぞれ配設されるので、液晶パネル４４１の光変調面４４１Ｆに向けて光束入射側および光束射出側の双方からそれぞれ入射する不要光を遮光できる。このため、液晶パネル４４１にて形成した光学像をさらに一層良好に維持できる。
また、遮光部４４００Ｂが冷却室区画部４４００における液晶パネル４４１に対向する端面側に取り付けられているので、遮光部４４００Ｂが冷却室区画部４４００における入射側偏光板４４２および射出側偏光板４４３に対向する側に取り付けられた構成と比較して、遮光部４４００Ｂの位置を液晶パネル４４１の光変調面４４１Ｆと近接した位置に設定できる。このため、液晶パネル４４１の光変調面４４１Ｆに入射する不要光の遮光角度を大きく設定でき、不要光をより確実に遮光できる。
【００９５】
ここでまた、遮光部４４００Ｂが金属製の矩形枠体で構成されているので、遮光部４４００Ｂを例えばプレス加工等により容易に製造でき、遮光部４４００Ｂを製造するにあたって、その製造コストを低減できる。
また、遮光部４４００Ｂが比熱と熱伝導率の高い金属で形成されているので、不要光の遮光により遮光部４４００Ｂに生じた熱の放熱面積を大きくでき、冷却流体との熱交換能力を向上させることができる。このため、冷却室区画部４４００の温度上昇を抑制可能とし、さらに、冷却室区画部４４００における液晶パネル４４１に対向する面側にのみ遮光部４４００Ｂを取り付けた場合であっても冷却室区画部４４００の光束入射側および光束射出側を流通する冷却流体の温度差も抑制できる。したがって、冷却室区画部４４００に対向する液晶パネル４４１の面内温度も均一化した状態で良好に維持できる。
【００９６】
そして、冷却室Ｒ１，Ｒ２は、液晶パネル４４１、入射側偏光板４４２、および射出側偏光板４４３にて封止されるので、液晶パネル４４１のみならず、光源装置４１１から射出された光束によって偏光膜４４２Ｂ，４４３Ｂに生じる熱も、冷却室Ｒ１，Ｒ２を対流する冷却流体に対流できる。
また、光変調素子保持体４４０２に、液晶パネル４４１のみならず、入射側偏光板４４２および射出側偏光板４４３も一体化させることができるため、これら光学素子４４１，４４２，４４３の冷却性能向上に加えて小型化も可能となる。
そしてまた、プロジェクタ１は、液晶パネル４４１にて形成された光学像を良好に維持できる光変調素子保持体４４０２を備えているので、投射レンズ５にて鮮明な光学像をスクリーン上に拡大投射できる。
【００９７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図２０は、第２実施形態における光変調素子保持体５４０２の概略構成を示す分解斜視図である。
本実施形態は、前記第１実施形態に対して、図２０に示すように、２つの冷却室区画部５４００の形状を変更している。また、これら冷却室区画部５４００の形状の変更に伴い、枠状部材５４０５，５４０６の形状も変更している。２つの冷却室区画部５４００および枠状部材５４０５，５４０６以外の光変調素子保持体５４０２の構成、および、光変調素子保持体５４０２以外の構成は、前記第１実施形態と同様である。
【００９８】
図２１は、枠状部材５４０５，５４０６の構造を示す図である。具体的に、図２１（Ａ）は、枠状部材５４０５を光束入射側から見た斜視図である。図２１（Ｂ）は、枠状部材５４０６を光束射出側から見た斜視図である。
枠状部材５４０５，５４０６は、図２１に示すように、前記第１実施形態で説明した枠状部材４４０５，４４０６と同様の構造を有し、異なる点は、整流部４４０５Ｊ，４４０６Ｍが省略されている点のみである。その他の構造は、前記第１実施形態で説明した枠状部材４４０５，４４０６と同様である。
【００９９】
図２２および図２３は、冷却室区画部５４００の構造を示す図である。具体的に、図２２は、液晶パネル４４１の光束入射側に配置される冷却室区画部５４００を光束射出側から見た分解斜視図である。図２３（Ａ）は、液晶パネル４４１の光束入射側に配置される冷却室区画部５４００を光束射出側から見た図である。図２３（Ｂ）は、図２３（Ａ）のＨ−Ｈ線の断面図である。図２３（Ｃ）は、図２３（Ａ）のＩ−Ｉ線の断面図である。
なお、２つの冷却室区画部５４００は、同様の形状であり、以下では枠状部材５４０５と入射側偏光板４４２との間に配置される冷却室区画部５４００のみを説明する。
この冷却室区画部５４００は、図２２または図２３に示すように、区画部本体５４００Ａと延出部５４００Ｂとを備える。なお、冷却室区画部５４００は、前記第１実施形態で説明した冷却室区画部４４００と同様の材料を採用できる。
【０１００】
区画部本体５４００Ａは、前記第１実施形態で説明した冷却室区画部４４００の形状と略同様な形状を有し、冷却室Ｒ１内部に配置された状態で、液晶パネル４４１に対向する部分である。そして、この区画部本体５４００Ａは、図２２または図２３に示すように、光束射出側に位置する第１区画部５４００Ａ１、および光束入射側に位置する第２区画部５４００Ａ２に分割形成されている。
第２区画部５４００Ａ２は、図２２または図２３に示すように、平面視矩形形状を有する板体から構成される。そして、第２区画部５４００Ａ２の光束射出側端面には、図２２または図２３に示すように、入射側偏光板４４２の外形形状に応じた凹部５４００Ａ３が形成されている。
また、第１区画部５４００Ａ１は、図２２または図２３に示すように、第２区画部５４００Ａ２と略同様に平面視矩形形状を有する板体から構成される。
この第１区画部５４００Ａ１において、上下側端部には、図２２または図２３に示すように、液晶パネル４４１に対向する端面側の角部分のみが面取りされた斜面５４００Ａ５を有するテーパ部５４００Ａ４が形成されている。すなわち、上下側端部は、テーパ部５４００Ａ４により、上下方向に向かうにしたがって断面積が小さくなる形状を有している。
【０１０１】
また、この第１区画部５４００Ａ１において、光束入射側端面には、図２３（Ｂ）または図２３（Ｃ）に示すように、第２区画部５４００Ａ２の凹部５４００Ａ３に嵌合可能とする段差部５４００Ａ６が形成されている。そして、凹部５４００Ａ３に段差部５４００Ａ６を嵌合させて第１区画部５４００Ａ１および第２区画部５４００Ａ２を組み合わせた状態では、第１区画部５４００Ａ１および第２区画部５４００Ａ２の間に空間が形成され、該空間に入射側偏光板４４２が配置される。なお、前記空間に入射側偏光板４４２を配置する際には、第１区画部５４００Ａ１および第２区画部５４００Ａ２の当接する端面に接着剤または水ガラス等を塗布し、外部から前記空間に冷却流体が流入することを防止している。
【０１０２】
さらに、この第１区画部５４００Ａ１において、光束射出側端面および外周端部には、図２２または図２３に示すように、例えば、アルミニウム、クロム等の金属製材料が蒸着により堆積され、開口部５４００Ａ８を有する遮光部５４００Ａ７が形成されている。
遮光部５４００Ａ７は、前記第１実施形態で説明した遮光部４４００Ｂと同様の機能を有し、所定の光束を遮光するものである。なお、遮光部５４００Ａ７の形状は、前記第１実施形態で説明した遮光部４４００Ｂと略同様の形状を有する。すなわち、液晶パネル４４１の光束入射側に配置される冷却室区画部５４００の遮光部５４００Ａ７は、光源装置４１１から射出され液晶パネル４４１の光変調面４４１Ｆ（図１９）に照射される照明光Ｌ１（図１９）が通過する境界位置に開口部５４００Ａ８の開口端部が位置するように設けられている。また、液晶パネル４４１の光束射出側に配置される冷却室区画部５４００の遮光部５４００Ａ７は、液晶パネル４４１の光変調面４４１Ｆにて形成された光学像が射出され投射レンズ５に呑み込まれる像光Ｌ３（図１９）が通過する境界位置に開口部５４００Ａ８の開口端部が位置するように設けられている。
【０１０３】
延出部５４００Ｂは、図２２または図２３に示すように、第２区画部５４００Ａ２と一体的に形成され、第２区画部５４００Ａ２の上下端部から上下方向に延出し、冷却室Ｒ１内部に配置された状態で、枠状部材５４０５の凹部４４０５Ｆに対向する部分である。
これら延出部５４００Ｂにおいて、延出方向端部は、図２２または図２３に示すように、第１区画部５４００Ａ１と同様に、液晶パネル４４１に対向する端面側の角部分のみが面取りされた斜面５４００Ｂ２を有するテーパ部５４００Ｂ１が形成されている。すなわち、これら延出部５４００Ｂも第１区画部５４００Ａ１と同様に、テーパ部５４００Ｂ１により、上下方向に向かうにしたがって断面積が小さくなる形状を有している。
また、これら延出部５４００Ｂにおいて、延出方向端部は、図２２または図２３に示すように、左右方向略中央部分（流出口４４０６Ｉまたは流入口４４０５Ｉに対向する部分）が上下方向（流出口４４０６Ｉ側または流入口４４０５Ｉ側）に突出する凸曲面形状を有している。なお、本実施形態では、上方側の凹部４４０５Ｆの形状と下方側の凹部４４０５Ｆの形状とが異なるため、上方側の延出部５４００Ｂの形状と下方側の延出部５４００Ｂの形状とを異なるように形成しているが、同一形状となるように形成しても構わない。
【０１０４】
そして、冷却室区画部５４００は、図２３（Ｂ）に示すように、第２区画部５４００Ａ２の光束入射側端面と延出部５４００Ｂの光束入射側端面とが略面一となり、光束入射側端面が平面形状を有する。また、冷却室区画部５４００を組み立てた状態では、図２３（Ｂ）に示すように、第１区画部５４００Ａ１の厚み分、区画部本体５４００Ａの厚み寸法が延出部５４００Ｂの厚み寸法よりも大きく、第１区画部５４００Ａ１が液晶パネル４４１側に膨出する形状となっている。
なお、液晶パネル４４１の光束射出側に配置される冷却室区画部５４００も同様の構成であり、この冷却室区画部５４００を構成する第１区画部５４００Ａ１および第２区画部５４００Ａ２にて形成される空間内には、射出側偏光板４４３が配置される。また、液晶パネル４４１の光束射出側に配置される冷却室区画部５４００は、液晶パネル４４１の光束入射側に配置される冷却室区画部５４００と光軸方向の両端面が逆になるように配置される。
【０１０５】
図２４および図２５は、冷却室Ｒ１，Ｒ２内に冷却室区画部５４００をそれぞれ配置した状態を説明するための図である。具体的に、図２４は、光変調素子保持体５４０２を光束射出側から見た図である。図２５は、図２４のＪ−Ｊ線の断面図である。
冷却室区画部５４００が冷却室Ｒ１，Ｒ２に配置される際には、前記第１実施形態と同様に、区画部本体５４００Ａを構成する第１区画部５４００Ａ１の上下側端部の斜面５４００Ａ５を枠状部材５４０５，５４０６の位置決め突起４４０６Ｋ，４４０６Ｎにそれぞれ当接することで枠状部材５４０５，５４０６に各冷却室区画部５４００がそれぞれ位置決めされ、例えば、接着剤等により枠状部材５４０５，５４０６に対して各冷却室区画部５４００を固定する。
また、入射側偏光板４４２および射出側偏光板４４３が２つの冷却室区画部５４００にそれぞれ配置されることにより、枠状部材５４０５の光束入射側、および枠状部材５４０６の光束射出側には、図２５に示すように、透光性基板５４０７Ａ，５４０７Ｂがそれぞれ配置される。
そして、冷却室Ｒ１内に冷却室区画部５４００をそれぞれ配置した状態では、図２５に示すように、透光性基板５４０７Ａの光束射出側端面、凹部４４０５Ｆ、および冷却室区画部５４００における延出部５４００Ｂの延出方向端部により、冷却流体を一時的に蓄積可能とするバッファ部Ｂｆ２が形成される。また、冷却室Ｒ２内も同様に、透光性基板５４０７Ｂの光束入射側端面、凹部４４０６Ｅ、および冷却室区画部５４００における延出部５４００Ｂの延出方向端部により、バッファ部Ｂｆ２が形成される。
【０１０６】
なお、本実施形態では、前記第１実施形態と同様に、冷却室区画部５４００を冷却室Ｒ１に配置した状態で、冷却室区画部５４００と透光性基板５４０７Ａ，５４０７Ｂとの離間寸法Ｄ１（図２５）よりも、液晶パネル４４１と冷却室区画部５４００における区画部本体５４００Ａとの離間寸法Ｄ２（図２５）が大きくなるように設定されている。ここで、離間寸法Ｄ１は、０．３mm〜１．０mmとすることが好ましく、本実施形態では、前記第１実施形態と同様に、０．７mmに設定されている。また、離間寸法Ｄ２は、１．０mm〜２．０mmとすることが好ましく、本実施形態では、前記第１実施形態と同様に、１．４mmに設定されている。
【０１０７】
上述した第２実施形態においては、前記第１実施形態と比較して、枠状部材５４０５，５４０６には整流部４４０５Ｊ，４４０６Ｍがそれぞれ省略され、各冷却室区画部５４００が凹部４４０５Ｆ，４４０６Ｅと平面的に干渉するように延出形成されている。そして、バッファ部Ｂｆ２が透光性基板５４０７Ａ（透光性基板５４０７Ｂ）と、凹部４４０５Ｆ（凹部４４０６Ｅ）と、冷却室区画部５４００における延出部５４００Ｂの延出方向端部により形成される。また、延出部５４００Ｂにおけるテーパ部５４００Ｂ１を有する延出方向端部は、左右方向略中央部分が上下方向に突出する凸曲面形状を有している。このことにより、流入口４４０５Ｉを介して流入した冷却流体をバッファ部Ｂｆ２にて一時的に蓄積した後、該冷却流体を、延出部５４００Ｂにおける延出方向端部の凸曲面形状により、液晶パネル４４１の光変調面に平行な方向（左右方向）に整流できる。このため、延出部５４００Ｂのテーパ部５４００Ｂ１および凸曲面形状により、液晶パネル４４１に平行な方向および直交する方向の双方に冷却流体を整流できる。したがって、整流部４４０５Ｊ，４４０６Ｍを省略した構成であっても、冷却室区画部５４００により、冷却室Ｒ１，Ｒ２内部の各位置での冷却流体の流速の均一化が図れ、液晶パネル４４１にて形成された光学像を良好に維持できる。また、冷却室Ｒ１，Ｒ２内部の各位置での冷却流体の流速の均一化が図れることにより、液晶パネル４４１の面内温度の均一化も図れ、局所的な過熱を回避し、液晶パネル４４１にて鮮明な光学像を形成できる。さらに、整流部４４０５Ｊ，４４０６Ｍを省略できるため、枠状部材５４０５，５４０６の構造の簡素化を図れ、枠状部材５４０５，５４０６の製造を容易とする。
【０１０８】
また、遮光部５４００Ａ７は、金属製の薄膜で構成されているので、遮光部５４００Ａ７を区画部本体５４００Ａに堆積させた状態でも、冷却室区画部５４００の厚み寸法が変更されることがない。したがって、離間寸法Ｄ１，Ｄ２を設定する際に、遮光部５４００Ａ７の厚み寸法を考慮する必要がなく、冷却室区画部５４００の製造を容易に実施できる。
さらに、各冷却室区画部５４００を構成する区画部本体５４００Ａは、第１区画部５４００Ａ１および第２区画部５４００Ａ２の２つにそれぞれ分割され、各第２区画部５４００Ａ２の各凹部５４００Ａ３に入射側偏光板４４２および射出側偏光板４４３がそれぞれ配置されるので、冷却室区画部５４００を介して入射側偏光板４４２および射出側偏光板４４３における光束入射側および光束射出側の双方を冷却流体により冷却でき、入射側偏光板４４２および射出側偏光板４４３の冷却効率を一層向上できる。
【０１０９】
以上、本発明について好適な実施形態を挙げて説明したが、本発明は、これらの実施形態に限定されるものではなく、本発明の要旨を逸脱しない範囲において種々の改良並びに設計の変更が可能である。
前記第１実施形態では、各枠状部材４４０５，４４０６の内部に冷却室Ｒ１，Ｒ２がそれぞれ形成されていたが、これに限らない。例えば、各枠状部材４４０５，４４０６のいずれかの内部にのみ冷却室を形成する構成を採用してもよい。前記第２実施形態も同様である。すなわち、光変調素子保持体４４０２，５４０２には、冷却室が１つのみ形成されることとなるため、冷却室区画部４４００，５４００を１つのみで構成し、前記冷却室に該冷却室区画部４４００，５４００を配置する。
また、前記各実施形態では、冷却室Ｒ１，Ｒ２が筒状部４４０５Ｃの孔４４０５Ｃ１、挿通孔４４０６Ｃ、筒状部４４０６Ｄの孔４４０６Ｄ１、および挿通孔４４０５Ｄにより連通接続されていたが、これに限らず、例えば、各冷却室Ｒ１，Ｒ２を連通接続しない構成を採用してもよい。この場合には、各枠状部材４４０５，４４０６，５４０５，５４０６にそれぞれ流入口および流出口を設ける。
【０１１０】
前記第１実施形態では、冷却室Ｒ１，Ｒ２内部にそれぞれ配置される各冷却室区画部４４００における各遮光部４４００Ｂの各開口部４４００Ｂ１は、図１９に示すように、略同一寸法となるように図示したが、これに限らない。すなわち、上述したように、液晶パネル４４１の光束入射側に配置される遮光部４４００Ｂの開口部４４００Ｂ１の開口端部は照明光Ｌ１が通過する境界位置に設定され、液晶パネル４４１の光束射出側に配置される遮光部４４００Ｂの開口部４４００Ｂ１の開口端部は像光Ｌ３が通過する境界位置に設定されているため、各開口部４４００Ｂ１が異なる寸法となっていても構わない。
【０１１１】
前記第１実施形態では、冷却室区画部４４００の遮光部４４００Ｂは、金属製の矩形枠体で構成されていたが、これに限らず、前記第２実施形態と同様に、金属の薄膜を堆積させることで構成してもよい。
また、同様に、前記第２実施形態では、冷却室区画部５４００の遮光部５４００Ａ７は、金属の薄膜で構成されていたが、これに限らず、前記第１実施形態と同様に、金属製の矩形枠体で構成してもよい。
前記各実施形態では、遮光部４４００Ｂ，５４００Ａ７は、金属製材料から構成されていたが、これに限らず、遮光性を有する材料であればいずれの材料を採用してもよい。
また、前記第２実施形態では、遮光部５４００Ａ７を蒸着により形成していたが、これに限らず、塗料薄膜で印刷または塗装により形成してもよい。
【０１１２】
前記各実施形態において、光変調素子保持体４４０２における流入口４４０５Ｉおよび流出口４４０６Ｉの形成位置、および冷却流体の流通方向は、前記各実施形態で説明した形成位置、および流通方向に限らない。例えば、冷却流体の流通方向を逆にし、流入口４４０５Ｉおよび流出口４４０６Ｉをそれぞれ流出口および流入口としてそれぞれ機能させる構成としてもよい。
【０１１３】
前記各実施形態では、光学装置４４において、メインタンク４４５、流体圧送部４４６、およびラジエータ４４７を備えた構成を説明したが、これに限らず、これらメインタンク４４５、流体圧送部４４６、およびラジエータ４４７のうち少なくともいずれかを省略した構成も本発明の目的を十分に達成できる。
【０１１４】
前記第１実施形態では、一対の枠状部材４４０５，４４０６の外面に入射側偏光板４４２および射出側偏光板４４３を配置し、該入射側偏光板４４２および射出側偏光板４４３の透光性基板４４２Ａ，４４３Ａにて各冷却室Ｒ１，Ｒ２を閉塞していたが、これに限らず、偏光膜が貼り付けられていないガラス等の透光性基板で各冷却室Ｒ１，Ｒ２を閉塞してもよい。この際、入射側偏光板および射出側偏光板としては、前記各実施形態で説明した吸収型偏光板ではなく、所定の偏光軸を有する光束を透過し、その他の偏光軸を有する光束を反射する反射型偏光板とすれば、入射側偏光板および射出側偏光板を冷却流体にて冷却しなくても、光源から射出される光束による温度上昇を抑制できる。
また、入射側偏光板４４２、および射出側偏光板４４３を冷却流体にて冷却する構成を採用したが、これに限らず、位相差板、あるいは視野角補正板を一対の枠状部材４４０５，４４０６の外面に配置し、これらを冷却する構成を採用してもよい。
前記第２実施形態では、各冷却室区画部５４００に入射側偏光板４４２および射出側偏光板４４３を配置した構成を説明したが、これに限らず、位相差板、あるいは視野角補正板を各冷却室区画部５４００に配置する構成を採用してもよい。また、冷却室区画部５４００には、入射側偏光板４４２、射出側偏光板４４３、位相差板、あるいは視野角補正板等の光学変換素子を単体で配置する構成の他、複数の光学変換素子を一括して配置する構成を採用してもよい。
また、各冷却室区画部５４００から入射側偏光板４４２および射出側偏光板４４３を外して透光性基板５４０７Ａ，５４０７Ｂにそれぞれ配置する構造とすることも勿論可能である。
【０１１５】
前記第１実施形態において、枠状部材４４０５，４４０６に形成される整流部４４０５Ｊ，４４０６Ｍは、流入口４４０５Ｉおよび流出口４４０６Ｉの近傍にそれぞれ形成されていたが、これに限らず、少なくとも流入口４４０５Ｉの近傍に形成されていればよい。また、整流部４４０５Ｊ，４４０６Ｍの形状は、前記第１実施形態で説明した形状に限らず、バッファ部Ｂｆ１にて一時的に蓄積された冷却流体を、液晶パネル４４１の光変調面に平行な方向に拡げるような形状であれば、その他の形状であっても構わない。
前記各実施形態において、冷却室区画部４４００，５４００の形状は、前記各実施形態で説明した形状に限らない。例えば、斜面４４００Ａ２，５４００Ａ５，５４００Ｂ２が平面状でなく曲面状に形成されていてもよい。
前記各実施形態では、冷却室区画部４４００，５４００の配置位置は、前記各実施形態で説明した配置位置に限らない。例えば、冷却室区画部４４００，５４００を枠状部材４４０５，５４０５と液晶パネル４４１との間、液晶パネル４４１と枠状部材４４０６，５４０６との間にそれぞれ配置する構成を採用してもよい。
【０１１６】
前記各実施形態において、冷却流体と接触する部材である、流体循環部材４４８、メインタンク４４５、流体圧送部４４６、ラジエータ４４７の管状部材４４７２、枠状部材４４０５，４４０６，５４０５，５４０６、中継タンク４４０４、支持枠体４４０９は、アルミニウム製の部材から構成したが、これに限らない。耐食性を有する材料であれば、アルミニウムに限らず、他の材料にて構成してもよく、例えば、無酸素銅やジュラルミンにて構成してもよい。また、支持枠体４４０９は、枠状部材４４０５，４４０６，５４０５，５４０６と同一材料にて構成しなくてもよく、アルミニウム以外の材料から構成してもよい。特に、支持部材４４０３と同一材料（例えば、鉄系）とすれば膨張係数を略同じにすることができ、温度変化に伴う画素ずれへの影響を最小化できる。さらに、流体循環部材４４８としては、光変調素子保持体４４０２への変形反力が小さく画素ずれを抑制する硬度の低いブチルゴムまたはフッ素ゴム等を使用してもよい。
【０１１７】
前記各実施形態では、各光変調素子保持体４４０２内に流入する冷却流体の流量は、略同一に設定されていたが、これに限らず、各光変調素子保持体４４０２内に流入する冷却流体の流量を異なるものとする構成を採用してもよい。
例えば、流体分岐部４４０１から各光変調素子保持体４４０２に流通する流路中に弁を設け、該弁の位置を変更することで流路を狭めたり拡げたりする構成を採用してもよい。
また、例えば、流体分岐部４４０１と各光変調素子保持体４４０２とを接続する各流体循環部材４４８を各液晶パネル４４１Ｒ，４４１Ｇ，４４１Ｂの発熱量に応じて異なる管径寸法とする構成を採用してもよい。
【０１１８】
前記各実施形態では、シロッコファン３１の送風によって、光変調素子保持体４４０２の外面ならびに光学部品用筐体４５の底面を冷却していたが、これに限らず、シロッコファン３１を省略しても本発明の目的を十分に達成できる。このような構成では、低騒音化に寄与できる。
【０１１９】
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１２０】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１２１】
本発明の光変調素子保持体は、冷却流体により光変調素子を効率的に冷却しつつ、光変調素子にて形成される光学像を良好に維持できるため、ホームシアターやプレゼンテーションで利用されるプロジェクタの光変調素子保持体として有用である。
【図面の簡単な説明】
【０１２２】
【図１】第１実施形態におけるプロジェクタの概略構成を模式的に示す図。
【図２】前記実施形態におけるプロジェクタ内の一部を上方側から見た斜視図。
【図３】前記実施形態におけるプロジェクタ内の一部を下方側から見た斜視図。
【図４】前記実施形態におけるメインタンクの構造を示す図。
【図５】前記実施形態における光学装置本体の概略構成を示す図。
【図６】前記実施形態における光学装置本体の概略構成を示す図。
【図７】前記実施形態における流体分岐部の構造を示す図。
【図８】前記実施形態における光変調素子保持体の概略構成を示す分解斜視図。
【図９】前記実施形態における枠状部材の概略構成を示す図。
【図１０】前記実施形態における枠状部材の概略構成を示す図。
【図１１】前記実施形態における支持枠体の概略構成を示す分解斜視図。
【図１２】前記実施形態における支持枠体に液晶パネルを組み込んだ状態を示す図。
【図１３】前記実施形態における冷却室区画部の構造を示す図。
【図１４】前記実施形態における冷却室区画部の構造を示す図。
【図１５】前記実施形態における中継タンクの構造を示す図。
【図１６】前記実施形態におけるラジエータの構造、およびラジエータと軸流ファンとの配置関係を示す図。
【図１７】前記実施形態における液晶パネル、入射側偏光板、および射出側偏光板の冷却構造を説明するための図。
【図１８】前記実施形態における液晶パネル、入射側偏光板、および射出側偏光板の冷却構造を説明するための図。
【図１９】前記実施形態における遮光部による光束の遮光構造を説明するための図。
【図２０】第２実施形態における光変調素子保持体の概略構成を示す分解斜視図。
【図２１】前記実施形態における枠状部材の構造を示す図。
【図２２】前記実施形態における冷却室区画部の構造を示す図。
【図２３】前記実施形態における冷却室区画部の構造を示す図。
【図２４】前記実施形態における冷却室内に冷却室区画部をそれぞれ配置した状態を説明するための図。
【図２５】前記実施形態における冷却室内に冷却室区画部をそれぞれ配置した状態を説明するための図。
【符号の説明】
【０１２３】
１・・・プロジェクタ、５・・・投射光学装置、４４・・・光学装置、４１１・・・光源装置、４４１，４４１Ｒ，４４１Ｇ，４４１Ｂ・・・液晶パネル、４４１Ｆ・・・光変調面、４４２・・・入射側偏光板（光学変換素子）、４４２Ａ・・・透光性基板、４４３・・・射出側偏光板（光学変換素子）、４４３Ａ・・・透光性基板、４４３Ｂ・・・偏光膜（光学変換膜）、４４８・・・流体循環部材、４４００，５４００・・・冷却室区画部、４４００Ｂ，５４０７Ａ７・・・遮光部、４４０２，５４０２・・・光変調素子保持体、４４０５，４４０６，５４０５，５４０６・・・枠状部材、４４０５Ａ，４４０６Ａ・・・開口部、４４０５Ｉ・・・流入口、４４０６Ｉ・・・流出口、５４０７・・・透光性基板、Ｌ１・・・照明光、Ｌ２・・・像光、Ｒ１，Ｒ２・・・冷却室。
【図１】
2006126456.tif 000003
【図２】
2006126456.tif 000004
【図３】
2006126456.tif 000005
【図４】
2006126456.tif 000006
【図５】
2006126456.tif 000007
【図６】
2006126456.tif 000008
【図７】
2006126456.tif 000009
【図８】
2006126456.tif 000010
【図９】
2006126456.tif 000011
【図１０】
2006126456.tif 000012
【図１１】
2006126456.tif 000013
【図１２】
2006126456.tif 000014
【図１３】
2006126456.tif 000015
【図１４】
2006126456.tif 000016
【図１５】
2006126456.tif 000017
【図１６】
2006126456.tif 000018
【図１７】
2006126456.tif 000019
【図１８】
2006126456.tif 000020
【図１９】
2006126456.tif 000021
【図２０】
2006126456.tif 000022
【図２１】
2006126456.tif 000023
【図２２】
2006126456.tif 000024
【図２３】
2006126456.tif 000025
【図２４】
2006126456.tif 000026
【図２５】
2006126456.tif 000027